(57)【要約】【課題】デジタル復号器が実質上データ全体を比較的容易に復元できること。【解決手段】時間ダイバーシティのためのシステム及び方法はインターリーブを用いる。送信機及び受信機での動作を簡略化するために、所定のＯＦＤＭシンボル時間でスロットからインタレースへのマッピングを決定するのに公式が使用される。
2008508814.tif 000002
【特許請求の範囲】
【請求項１】
インターリーブする方法であって、
インターレースの副搬送波をインターインターリーブすることと、
前記インターレースをイントラインターリーブすることと、
を具備する方法。
【請求項２】
副搬送波の数は５００である請求項１に記載の方法。
【請求項３】
インターレースの数は８である請求項２に記載の方法。
【請求項４】
インターレースの副搬送波を前記インターインターリーブすることは、コンスタレーションシンボルシーケンスのシンボルを、インターレーステーブルを用いて、割り当てられたスロットに従って順次線形方式で対応する副搬送波内にマッピングすることを具備する請求項１に記載の方法。
【請求項５】
インターレースの副搬送波をインターリーブするように及び前記インターレースをインターリーブするように構成されるプロセッサ。
【請求項６】
インターレースの副搬送波をインターリーブする手段と、
前記インターレースをインターリーブする手段と、を具備するプロセッサ。
【請求項７】
インターリーブする方法であって、インターレースの副搬送波をインターリーブすることと、前記インターレースをインターリーブすること、とを具備する方法、を具現化する読取可能媒体。
【発明の詳細な説明】
【技術分野】
【０００１】
３５Ｕ．Ｓ．Ｃ．§１１９に基づく優先権の主張
本特許出願は、"METHOD OF CHANNEL INTERLEAVING IN A OFDM WIRELESS COMMUNICATIONS SYSTEM"（ＯＦＤＭ無線通信システムにおけるチャネルインターリーブ方法）という題名を有し、本特許出願の譲受人に対して譲渡されておりさらに本明細書において参照されることによって明示で本明細書に組み入れられている仮特許出願番号 ６０／５９２，９９９(出願日:  ２００４年７月２９日) に対する優先権を主張するものである。
【０００２】
本開示実施形態は、一般的には、無線通信に関するものである。本開示実施形態は、具体的には、無線通信システムにおけるチャネルインターリーブに関するものである。
【背景技術】
【０００３】
直交周波数分割多重（ＯＦＤＭ）は、高速デジタル信号をブロードキャストするための技術である。ＯＦＤＭシステムにおいては、単一の高速データストリームが幾つかの並列する低速サブストリームに分割され、各サブストリームは、各々の副搬送波周波数を変調するために用いられる。本発明は直交振幅変調に関して説明されているが、偏移変調システムに対しても同じく適用可能であることに注目すべきである。
【０００４】
ＯＦＤＭシステムにおいて用いられる変調技術は直交振幅変調（ＱＡＭ）と呼ばれ、搬送波周波数の位相と振幅の両方が変調される。ＱＡＭ変調においては、複素ＱＡＭシンボルが複数のデータビットから生成され、各シンボルは実数項と虚数項を含み、さらに各シンボルは各シンボルの生成に用いられた複数のデータビットを表す。複数のＱＡＭビットは、複素面によって図形的に表すことが可能なパターンでまとめて送信される。典型的には、前記パターンは、「コンスタレーション」と呼ばれる。ＱＡＭ変調を用いることによって、ＯＦＤＭシステムは効率を向上させることができる。
【０００５】
信号がブロードキャストされたときには、２つ以上の経路を通って受信機まで伝搬することが可能である。例えば、単一の送信機から送信された信号は、直線に沿って受信機まで伝搬することが可能であり、物体に反射されて異なる経路に沿って受信機まで伝搬することも可能である。さらに、システムがスペクトル効率を向上させるためにいわゆる「セルラー」ブロードキャスト技術を用いているときには、受信機向けの信号が２つ以上の送信機によってブロードキャストされる可能性がある。従って、同じ信号が２つ以上の経路を通って受信機まで送信されることになる。このような信号の並列伝搬は、人工（すなわち、同じ信号を２つ以上の送信機からブロードキャストすることに起因する）又は自然（すなわち、エコーに起因する）のいずれであるかにかかわらず、「マルチパス」と呼ばれる。セルラーデジタルブロードキャストはスペクトル的に効率的である一方で、マルチパスに関する考慮事項に有効に対処するための装備をしなければならないことが容易に理解できる。
【０００６】
幸いなことに、（上述されるように、セルラーブロードキャスト技術を使用時には必然的に発生する）マルチパス状態が存在するときには、単一の搬送波周波数のみが用いられるＱＡＭ変調技術よりもＱＡＭ変調を用いるＯＦＤＭシステムのほうが有効である。より具体的には、単一搬送波ＱＡＭシステムにおいては、主経路と同じように強力なエコーを有するチャネルを等化するために複素等化器を使用しなければならず、前記等化は実行困難である。対照的に、ＯＦＤＭシステムにおいては、適切な長さのガード間隔を各シンボルの開始時に単純に挿入することによって複素等化器の必要性をなくすことが可能である。従って、マルチパス状態が予想されるときには、ＱＡＭ変調を用いるＯＦＤＭシステムのほうが好まれる。
【０００７】
典型的なトレリス符号化方式においては、データストリームが畳み込み符号器によって符号化され、次に、後続ビットが結合されてビットグループになり、該ビットグループがＱＡＭシンボルになる。グループ内には幾つかのビットが存在しており、１つのグループ当たりのビット数は整数“ｍ”によって定義される（従って、各グループは、”ｍ−ａｒｙ”次元を有するものとして言及される）。典型的には、“ｍ”の値は４、５、６、又は７であるが、それよりも大きい又は小さいことが可能である。
【０００８】
ビットを多ビットシンボルに分類後は、これらのシンボルがインターリーブされる。「インターリーブ」は、シンボルストリームが順次で再配列され、それによってチャネル劣化に起因する潜在的誤りがランダム化されることを意味する。例示するため、５つの単語が送信されると仮定する。インターリーブされていない信号の送信中に一時的なチャネルの乱れが発生した場合、これらの状況下においては、チャネルの乱れが和らぐ前に単語全体が失われる可能性があり、不可能ではないまでも、失われた単語によってどのような情報が搬送されていたかを知るのは困難になる可能性がある。
【発明の開示】
【発明が解決しようとする課題】
【０００９】
対照的に、これらの5つの単語の文字が送信前に順次に再配列されていてチャネルの乱れが発生した場合は、幾つかの文字が、おそらく１つの単語ごとに１個ずつ失われる可能性がある。しかしながら、再配列された文字を復号時に５つの全単語が現れることになる。ただし、これらの単語のうちの幾つかは文字が失われている。これらの状況下においては、デジタル復号器が実質上データ全体を比較的容易に復元できることが望ましい。ｍ−ａｒｙシンボルをインターリーブ後は、上記のＱＡＭ原理を用いてシンボルが複素シンボルにマッピングされ、各々の副搬送波チャネル内に多重化されて送信される。
【発明を実施するための最良の形態】
【００１０】
一実施形態においては、チャネルインターリーバーは、ビットインターリーバーとシンボルインターリーバーを具備する。図１は、２つの型のチャネルインターリーブ方式を示す。両方式とも、最大のチャネルダイバーシティを達成させるためにビットインターリーブとインターレーシングを使用する。
【００１１】
図１ａは、一実施形態によるチャネルインターリーバーを示す。図１ｂは、他の実施形態によるチャネルインターリーバーを示す。図１ｂのインターリーバーは、単にｍ−ａｒｙ変調ダイバーシティを達成させるためにビットインターリーバーを使用し、明示でのシンボルインターリーブを行う必要なしにより良いインターリーブ性能を提供する周波数ダイバーシティを達成させるために二次元のインターリーブされたインターレーステーブルと実行時間スロット−インターレースマッピングを使用する。
【００１２】
図１ａは、ビットインターリーブブロック１０４内に入力されたターボ符号化ビット１０２を示す。ビットインターリーブブロック１０４は、インターリーブされたビットを出力し、該インターリーブされたビットは、コンスタレーションシンボルマッピングブロック１０６に入力される。コンスタレーションシンボルマッピングブロック１０６は、コンスタレーションシンボルマッピングされたビットを出力し、該ビットは、コンスタレーションボルインターリーブブロック１０８に入力される。コンスタレーションシンボルインターリーブブロック１０８は、コンスタレーションシンボルインターリーブされたビットをチャネライゼーションブロック１１０内に出力する。チャネライゼーションブロック１１０は、インターレーステーブル１１２を用いてコンスタレーションシンボルインターリーブされたビットをインターレースしてＯＦＤＭシンボル１１４を出力する。
【００１３】
図１ｂは、ビットインターリーブブロック１５４内に入力されたターボ符号化ビット１５２を示す。ビットインターリーブブロック１５４は、インターリーブされたビットを出力し、該インターリーブされたビットは、コンスタレーションシンボルマッピングブロック１５６に入力される。コンスタレーションシンボルマッピングブロック１５６は、コンスタレーションシンボルマッピングされたビットを出力し、該ビットは、チャネライゼーションブロック１５８に入力される。チャネライゼーションブロック１５８は、インターリーブされたインターレーステーブル及びインターレースへのスロットの動的マッピング１６０を用いて、コンスタレーションシンボルインターリーブされたビットをチャネライゼーションしてＯＦＤＭシンボル１６２を出力する。
【００１４】
変調ダイバーシティに関するビットインターリーブ
図１ｂのインターリーバーは、ビットインターリーブ１５４を用いて変調ダイバーシティを達成させる。ターボパケットの符号ビット１５２は、隣接する符号ビットが異なるコンスタレーションシンボル内にマッピングされるパターンでインターリーブされる。例えば、２ｍ−Ａｒｙ変調の場合は、ＮビットインターリーバーバッファがＮ／ｍのブロックに分割される。図２ａ（最上部）において示されるように、隣接する符号ビットは、隣接するブロック内に順次で書き込まれ、前記バックアップの最初から最後まで順に１つずつ読み出される。この方法は、隣接する符号ビットが異なるコンスタレーションシンボルにマッピングされることを保証する。同じく、図２ｂ（最下部）において示されるように、インターリーバーバッファは、Ｎ／ｍロー×ｍカラムマトリクス内に配列される。符号ビットは、バッファ内にカラムごとに書き込まれ、ローごとに読み出される。マッピングに依存する１６ＱＡＭに関してはコンスタレーションシンボルの一定のビットはその他のビットよりも信頼性が高い、例えば第１及び第３のビットは第２及び第４のビットよりも信頼性が高いことに起因して、隣接する符号ビットがコンスタレーションシンボルの同じビット位置にマッピングされるのを回避するため、ローは、左から右に及び右から左に交互に読み出される。
【００１５】
図２ａは、一実施形態によりインターリーブバッファ２０４内に入れられたターボパケット２０２の符号ビットを示す。図２ｂは、一実施形態によるビットインターリーブ動作例を示した図である。ターボパケット２５０の符号ビットは、図２ｂに示されるようにインターリーブバッファ２５２内に入れられる。一実施形態により、インターリーブバッファ２５２は、第２及び第３のカラムをスワッピングしそれによってインターリーブバッファ２５４を作り出すことによって変換され、ここで、ｍ＝４である。ターボパケット２５６のインターリーブされた符号ビットは、インターリーブバッファ２５４から読み取られる。
【００１６】
説明を単純化するため、最高の変調レベルが１６である場合で、符号ビット長が常に４で割ることが可能な場合は、固定されたｍ＝４を用いることができる。この場合は、ＱＰＳＫに関する分離を向上させるため、読み出し前に中間の２つのカラムがスワッピングされる。この手順は、図２ｂ（最下部）において描かれている。いずれの２つのカラムもスワッピング可能であることが当業者によって明確に理解されるであろう。カラムはあらゆる順序で配列可能であることも当業者によって明確に理解されるであろう。ローはあらゆる順序で配列可能であることも当業者によって明確に理解されるであろう。
【００１７】
他の実施形態においては、第１のステップとして、ターボパケット２０２の符号ビットがグループに分けられる。図２ａ及び図２ｂの両図の実施形態も符号ビットをグループに分けることに注目すること。ただし、ロー又はカラムを単純にスワッピングするのではなく、各々の所定のグループに関するグループビット順序に従って各グループ内の符号ビットがシャッフルされる。従って、グループに分けられた後の４つの１６符号ビットグループの順序は、これらのグループの単純な線形順序設定を用いて｛１，５，９，１３｝｛２，６，１０，１４｝｛３，７，１１，１５｝｛４，８，１２，１６｝であることができ、シャッフル後のこれらの４つの１６符号ビットグループの順序は、｛１３，９，５，１｝｛２，１０，６，１４｝｛１１，７，１５，３｝｛１２，８，４，１６｝であることができる。ロー又はカラムのスワッピングはこのグループ内シャッフルの回帰事例になることに注意すること。
【００１８】
周波数ダイバーシティに関するインターリーブされたインターレース
一実施形態により、チャネルインターリーバーは、周波数ダイバーシティを達成させるために、インターリーブされたインターレースをコンスタレーションシンボルインターリーブに関して使用する。この使用は、明示でのコンスタレーションシンボルインターリーブの必要性をなくす。インターリーブは、次の２つのレベルで実施される。
【００１９】
インターレース内すなわちイントラインターレースインターリーブ：一実施形態においては、インターレースの５００の副搬送波がビット反転方式でインターリーブされる。
【００２０】
インターレース間すなわちインターインターレースインターリーブ：一実施形態においては、８つのインターレースがビット反転方式でインターリーブされる。
【００２１】
副搬送波数は５００以外が可能であることが当業者によって明確に理解されるであろう。インターレース数は８以外が可能なことも当業者によって明確に理解されるであろう。
【００２２】
５００は２のべき乗ではないため、一実施形態により縮小された組のビット反転動作が用いられる。以下の符号は前記動作を示したものである。
【００２３】
vector<int> reducedSetBitRev(int n)
{
int m=exponent(n);
vector<int> y(n);
for (int i=0, j=0; j<n; i++,j++)
{
int k;
for (; (k=bitRev(j,m))>=n; j++);
y[i]=k;
}
return y;
ここで、ｎ＝５００、ｍは２ｍ＞ｎになるような最小の整数で、８であり、bitRevは正規のビット反転動作である。
【００２４】
一実施形態により、データチャネルのコンスタレーションシンボルシーケンスのシンボルは、図３において描かれているインターレーステーブルを用いて、チャネライザによって決定された割り当て済みスロットインデックスに従って順次線形方式で対応する副搬送波内にマッピングされる。
【００２５】
図３は、一実施形態によるインターリーブされたインターレーステーブルを示す。ターボパケット３０２、コンスタレーションシンボル３０４、及びインターリーブされたインターレーステーブル３０６が示されている。さらに、インターレース３（３０８）、インターレース４（３１０）、インターレース２（３１２）、インターレース６（３１４）、インターレース１（３１６）、インターレース５（３１８）、インターレース３（３２０）、及びインターレース７（３２２）も示されている。
【００２６】
一実施形態においては、８つのインターレースのうちの１つがパイロットに関して用いられる。すなわち、インターレース２及びインターレース６は、パイロットに関して代替で用いられる。その結果、チャネライザは、７つのインターレースをスケジューリングのために使用することが可能である。便宜上、チャネライザは、スロットをスケジューリング単位として使用する。スロットとは、ＯＦＤＭシンボルの１つのインターレースであると定義される。インターレーステーブルは、スロットを特定のインターレースにマッピングするために用いられる。８つのインターレースが用いられるため、８つのスロットが存在する。７つのスロットは、チャネライゼーション用に保留され、１つのスロットはパイロット用である。一般性を失うことなしに、図４に示されるように、スロット０はパイロットに関して使用され、スロット１乃至７はチャネライゼーションに関して使用される。図４においては、縦軸がスロットインデックス４０２、横軸がＯＦＤＭシンボルインデックス４０４であり、太字体のエントリは、ＯＦＤＭシンボル時間において対応するスロットに割り当てられるインターレースインデックスである。
【００２７】
図４は、一実施形態によるチャネライゼーション概略図である。図４は、スケジューラ４０６用に予約されているスロットインデックス及びパイロット４０８用に予約されているスロットインデックスを示す。太字体のエントリは、インターレースインデックス番号である。正方形付きの数字は、パイロットに隣接しており従って良チャネル推定値を有するインターレースである。
【００２８】
正方形付き数字は、パイロットに隣接しており従って良チャネル推定値を有するインターレースである。スケジューラは一組の隣接スロット及びＯＦＤＭシンボルをデータチャネルに常に割り当てるため、インターインターレースインターリーブに起因して、データチャネルに割り当てられる隣接スロットは、不連続のインターレースにマッピングされることは明確である。これで、より大きな周波数ダイバーシティ利得を達成させることが可能である。
【００２９】
しかしながら、このような静的割り当て（すなわち、スロット−物理的インターレースマッピングテーブル１が経時で変化しない）には確実に１つの問題がある。すなわち、データチャネル割当ブロック（長方形であると仮定）が複数のＯＦＤＭシンボルを占有している場合は、前記データチャネルに割り当てられたインターレースが経時で変化せずその結果周波数ダイバーシティが失われることになる。この問題の対策は、スケジューラインターレーステーブル（すなわち、パイロットインターレースを除く）をＯＦＤＭシンボルからＯＦＤＭシンボルに循環的にシフトすることである。
【００３０】
図５は、スケジューラインターレーステーブルを１つのＯＦＤＭシンボルごとに１回シフトする動作を描いた図である。この方式は、静的なインターレース割当て問題を成功裡に排除する。すなわち、特定のスロットが異なるＯＦＤＭシンボル時間に異なるインターレースにマッピングされる。
【００３１】
図５は、一実施形態により、特定のスロット５０２に関する長い一連の良及び不良チャネル推定値が得られることになるすべて１つのシフトシーケンスを有するチャネライゼーション概略図を示す。図５は、スケジューラ５０６用に予約されているスロットインデックス及びパイロット５０８用に予約されているスロットインデックスを示す。横軸にはスロットシンボルインデックス５０４が示されている。
【００３２】
しかしながら、短い一連の良チャネル推定値インターレース及び不良チャネル推定値を有する短い一連のインターレースの好ましいパターンとは対照的に、スロットは、良チャネル推定値を有する４つの隣接インターレースが割り当てられ、その後に不良チャネル推定値を有する長い一連のインターレースが続いているのがわかる。前記図において、パイロットインターレースに隣接するインターレースは正方形で囲まれている。長い一連の良及び不良チャネル推定値の問題の解決策は、すべて１のシーケンス以外のシフトシーケンスを使用することである。このタスクを実施するために使用可能なシーケンスが数多く存在する。最も単純なシーケンスは、すべて２のシーケンスである。すなわち、スケジューラインターレーステーブルが１つのＯＦＤＭシンボルごとに１回ではなく２回シフトされる。この結果は図６に示されており、チャネライザインターレースパターンを大幅に向上させる。このパターンは、２×７＝１４のＯＦＤＭシンボルごとに反復し、ここで、２はパイロットインターレーススタッガリング期間、７はチャネライザインターレースシフト期間である。
【００３３】
送信機及び受信機の両方における動作を単純化するため、所定のＯＦＤＭシンボル時間におけるスロットからインターレースへのマッピングを決定するための単純な公式を用いることができる。
【００３４】
____________________________
１  スケジューラスロットテーブルは、パイロットスロットを含まない。
【００３５】
i = Ｒ'{(N − ((R×t)%N) + s −1)%N}
ここで、
N = I − 1は、トラフィックデータスケジューリングのために用いられるインターレース数であり、Iは総インターレース数である。
【数１】
2008508814.tif 000003
【００３６】
（パイロットインターレースを除く）は、ＯＦＤＭシンボルtにおけるスロットsがマッピングするインターレースインデックスである。
【００３７】
t = 0,1,…, T − 1は、スーパーフレーム内のＯＦＤＭシンボルインデックスであり、Tはフレーム内の総ＯＦＤＭシンボル数である2。
【００３８】
s = 1,2,…,S − 1  sはスロットインデックスであり、Sは総スロット数である。
【００３９】
Rは、１つのＯＦＤＭシンボルごとのシフト数である。
【００４０】
Ｒ'は、縮小セットビット反転演算子である。すなわち、パイロットによって用いられるインターレースはビット反転動作から除外される。
【００４１】
例：一実施形態においては、I = 8、R = 2である。対応するスロット−インタフェースマッピング公式は以下のようになる。
【００４２】
i = Ｒ'{(7 − ((2 × t)%7) + s −1)%7}
ここで、Ｒ'は下表に対応する。
【００４３】
x => Ｒ'{x}
0 => 0
1 => 4
2 => 2又は6
3 => 1
4 => 5
5 => 3
6 => 7     
このテーブルは、以下のコードによって生成することができる。
【００４４】
int reducedSetBitRev(int x, int exclude, int n)
{
int m=exponent(n);
＿＿＿＿＿＿＿＿＿＿
２  現在の設計におけるフレーム内のＯＦＤＭシンボル数は１４で割り切れないため、フレーム内ではなくスーパーフレーム内のＯＦＤＭシンボルインデックスが追加のダイバーシティをフレームに与える。
【００４５】
int y;
for (int i=0; j=0; i<=x; i++, j++)
{
for {; (y=bitRev(j, m))＝exclude; j++};
}
return y;
}
ここで、m=3で、bitRevは正規のビット反転動作である。
【００４６】
ＯＦＤＭシンボルt=11の場合は、パイロットはインターレース６を使用する。スロットとインターレースの間のマッピングは以下のようになる。
【００４７】
-スロット１は、Ｒ'{(7 − (2 × 11)%7 + 1 − 1)%7} = Ｒ'{6} = 7のインターレースにマッピングする
-スロット２は、Ｒ'{(7 − (2 × 11)%7 + 2 − 1)%7} = Ｒ'{0} = 0のインターレースにマッピングする
-スロット３は、Ｒ'{(7 − (2 × 11)%7 + 3 − 1)%7} = Ｒ{1} = 4のインターレースにマッピングする
-スロット４は、Ｒ'{(7 − (2 × 11)%7 + 4 − 1)%7} = Ｒ'{2} = 2のインターレースにマッピングする
-スロット５は、Ｒ'{(7 − (2 × 11)%7 + 5 − 1)%7} = Ｒ'{3} = 1のインターレースにマッピングする
-スロット６は、Ｒ'{(7 − (2 × 11)%7 + 6 − 1)%7} = Ｒ'{4} = 5のインターレースにマッピングする
-スロット７は、Ｒ'{(7 − (2 × 11)%7 + 7 − 1)%7} = Ｒ'{5} = 3のインターレースにマッピングする
結果的に得られるマッピングは、図６におけるマッピングと一致する。図６は、すべて２のシフトシーケンスを有するチャネライゼーション概略図であり、良及び不良チャネル推定インターレースが一様に分散されている。
【００４８】
一実施形態により、インターリーバーは次の特長を有する。
【００４９】
ビットインターリーバーは、符号ビットを異なる変調シンボル内にインターリーブすることによってｍ−Ａｒｙ変調ダイバーシティを利用するように設計されている。
【００５０】
ＩＮＴＲＡインターレースインターリーブ及びＩＮＴＥＲインターレースインターリーブによって周波数ダイバーシティを達成させるように設計されている「シンボルインターリーブ」。
【００５１】
スロット−インターレースマッピングテーブルをＯＦＤＭシンボルからＯＦＤＭシンボルに変更することによって追加の周波数ダイバーシティ利得及びチャネル推定利得が達成される。この目標を達成させるために単純なローテーションシーケンスが提案される。
【００５２】
図７は、一実施形態によりインターリーブを実装するように構成された無線デバイスを示す。無線デバイス７０２は、アンテナ７０４と、デュプレクサ７０６と、受信機７０８と、送信機７１０と、プロセッサ７１２と、メモリ７１４と、を具備する。プロセッサ７１２は、一実施形態によりインターリーブを行うことができる。プロセッサ７１２は、自己の動作を行うためにバッファ又はデータ構造に関するメモリ７１４を使用する。
【００５３】
添付された章は、さらなる実施形態の詳細を説明する。
【００５４】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁気粒子、光学場、光学粒子、又はそのあらゆる組合せによって表すことができる。
【００５５】
本明細書において開示される実施形態に関して説明されている様々な例示的論理ブロック、モジュール、回路、及びアルゴリズム上のステップは、電子ハードウェアとして、コンピュータソフトウェアとして、又は両方の組合せとして実装できることを当業者はさらに理解するであろう。ハードウェアとソフトウェアのこの互換性を明確に例示するため、様々な例示的コンポーネント、ブロック、モジュール、回路、及びステップは、各々の機能の観点で一般的に説明されている。これらの機能がハードウェアとして又はソフトウェアとして実装されるかは、全体的システムに対する特定の用途上の及び設計上の制約事項に依存する。当業者は、説明されている機能を各特定用途に合わせて様々な方法で実装できるが、これらの実装決定は、本発明の適用範囲からの逸脱を生じさせるものであるとは解釈すべきでない。
【００５６】
本明細書において開示される実施形態に関して説明されている様々な例示的論理ブロック、モジュール、及び回路は、本明細書において説明されている機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェアコンポーネント、又はそのあらゆる組合せ、とともに実装又は実行することができる。汎用プロセッサはマイクロプロセッサであることができるが、代替として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【００５７】
本明細書において開示される実施形態に関して説明されている方法又はアルゴリズムのステップは、ハードウェア内において直接具体化させること、プロセッサによって実行されるソフトウェアモジュール内において具体化させること、又はその両方の組合せにおいて具体化させることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐させることができる。１つの典型的な記憶媒体をプロセッサに結合させ、該プロセッサが該記憶媒体から情報を読み出すようにすること及び該記憶媒体に情報を書き込むようにすることができる。代替においては、該記憶媒体は、プロセッサと一体化させることができる。さらに、該プロセッサ及び該記憶媒体は、ＡＳＩＣ内に常駐させることができる。該ＡＳＩＣは、ユーザー端末内に常駐することができる。代替においては、該プロセッサ及び記憶媒体は、ユーザー端末内において個別構成要素として常駐することができる。
【００５８】
開示された実施形態に関する上記の説明は、当業者が本発明を製造又は使用できるようにすることを目的とするものである。これらの実施形態に対する様々な修正は、当業者によって容易に理解されるであろう。さらに、本明細書において定められている一般原理は、本発明の精神及び適用範囲を逸脱しない形でその他の実施形態に対しても適用することができる。以上のように、本発明は、本明細書において示されている実施形態に限定することを意図するものではなく、本明細書において開示されている原理及び斬新な特長に一致する限りにおいて最も広範な適用範囲が認められることになることを意図するものである。
【００５９】
５  物理層
本節は、ＦＬＯ物理層の仕様を含む。
【００６０】
５．１  物理層パケット
５．１．１  概要
物理層の送信単位は、物理層パケットである。物理層パケットは、１０００ビットの長さを有する。物理層パケットは、１つのＭＡＣ層パケットを搬送する。
【００６１】
５．１．２  物理層パケットフォーマット
物理層パケットは、以下のフォーマットを用いる。
【表１】
2008508814.tif 000004
【００６２】
ＭＡＣ層パケット  −  ＯＩＳからのＭＡＣ層パケット、データ又は制御チャネルＭＡＣプロトコル
ＦＣＳ            −  フレーム検査シーケンス（５．１．４参照）
予約              −  ＦＬＯネットワークは、このフィールドをゼロに設定する。ＦＬＯデバイスは、このフィールドを無視する。
【００６３】
ＴＡＩＬ          −  符号器テールビット。このフィールドは、すべて‘０’に設定される。
【００６４】
図５．１．２−１は、物理層パケットのフォーマットを示す。
[1図]
2008508814.tif 000005
５．１．３  ビット送信順序
物理層パケットの各フィールドは、最上位ビット（ＭＳＢ）が最初に送信されて最下位ビット（ＬＳＢ）が最後送信される順序で送信される。ＭＳＢは、ドキュメントの数字内の左端のビットである。
【００６５】
５．１．４  ＦＣＳビット計算
本明細書において説明されるＦＣＳの計算は、物理層パケット内のＦＣＳフィールドの計算に用いられる。
【００６６】
ＦＣＳは、以下の標準ＣＲＣ−ＣＣＩＴＴ生成器多項式を用いて計算されたＣＲＣである
g(x) = x16 + x12 + x5 + 1
ＦＣＳは、図５．１．４−１に示されるように以下の手順に従って計算された値と等しい。
【００６７】
・すべてのシフトレジスタ要素が‘１’に初期設定される。
【００６８】
・スイッチがアップ位置に設定される。
【００６９】
・レジスタが、ＦＣＳビット、予約ビット及びＴＡＩＬビットを除く物理層パケットの各ビットに関して１回クロックされる。物理層パケットがＭＳＢからＬＳＢの方向に読まれる。
【００７０】
・スイッチがダウン位置に設定され、このため、出力は‘０’によるモジュロ２加算であり、さらに後続するシフトレジスタ入力は‘０’である。
【００７１】
・レジスタが、１６のＦＣＳビットに関してさらに１６回クロックされる。
【００７２】
・出力ビットは、物理層パケットの予約フィールド及びＴＡＩＬフィールド以外の全フィールドを構成する。
[２図]
2008508814.tif 000006
５．２  ＦＬＯネットワークに関する要求事項
本項は、各々のＦＬＯネットワーク装置及び動作ごとの要求事項を定めるものである。
【００７３】
５．２．１  送信機
以下の要求事項は、ＦＬＯネットワーク送信機に対して適用される。
【００７４】
＿＿＿＿＿＿＿＿
１９  レジスタを１に初期設定するとすべてゼロのデータに関するＣＲＣがゼロ以外になる。
【００７５】
５．２．１．１  周波数パラメータ
５．２．１．１．１  送信周波数
送信機は、８つの６ＭＨｚ広帯域のうちの１つで動作する２０。各６ＭＨｚ広送信帯域割当ては、ＦＬＯ  ＲＦチャネルと呼ばれる。各ＦＬＯ  ＲＦチャネルは、インデックス
【数２】
2008508814.tif 000007
【００７６】
で表される。各ＦＬＯ  ＲＦチャネルインデックスに関する送信帯域及び帯域中心周波数は、表５．２．１．１．１−１に示されるとおりである。
【表２】
2008508814.tif 000008
【００７７】
５．２．１．１．２  周波数公差
実際の送信搬送波周波数と指定された送信周波数の最大周波数差は、表５．２．１．１．１−１の帯域中心周波数の±２×１０−９未満である。
【００７８】
５．２．１．１．３  帯域内スペクトル特性
後日決定
５．２．１．１．４  帯域外スペクトルマスク
後日決定
５．２．１．１．５  電力出力特性
送信ＥＲＰは、４６，９８ｄＢＷ２１未満である（[3]参照）。
【００７９】
＿＿＿＿＿＿＿
２０  ＦＬＯシステムは、５、７、及び８ＭＨｚの送信帯域幅もサポートする（６．１参照）。
【００８０】
２１  この数字は、５０ｋＷに対応する。
【００８１】
５．２．１．２  ＯＦＤＭ変調特性
５．２．１．２．１  概要
エアリンクで用いられる変調は、直交周波数分割多重（ＯＦＤＭ）である。最小送信間隔は、１つのＯＦＤＭシンボル期間に相当する。ＯＦＤＭ送信シンボルは、数多くの別々に変調された副搬送波から成る。
【００８２】
５．２．１．２．２  副搬送波
ＦＬＯシステムは、０乃至４０９５の番号が付された４０９５の副搬送波を使用する。
【００８３】
５．２．１．２．２．１  副搬送波グループ
これらの副搬送波は、次のように２つの別個のグループに分割される。
【００８４】
５．２．１．２．２．１．１  ガード副搬送波
利用可能な４０９６の副搬送波のうちの９６は使用されない。これらの使用されない副搬送波はガード副搬送波と呼ばれる。ガード副搬送波ではエネルギーは送信されない。
【００８５】
副搬送波０乃至４７、２０４８、及び４０４９乃至４０９５は、ガード副搬送波として用いられる。
【００８６】
５．２．１．２．２．１．２  アクティブ副搬送波
アクティブ副搬送波は、インデックス
【数３】
2008508814.tif 000009
【００８７】
を有する４０００の副搬送波のグループである。
【００８８】
各アクティブ副搬送波は、変調シンボルを搬送する。
【００８９】
５．２．１．２．２．２  副搬送波スペース
ＦＬＯシステムにおいては、４０９６の副搬送波は、６ＭＨｚ  ＦＬＯ  ＲＦチャネルの中心において５．５５ＭＨｚの帯域幅にわたる。副搬送波スペース(Δf)SCは、次式によって与えられる。
【数４】
2008508814.tif 000010
【００９０】
５．２．１．２．２．３  副搬送波周波数
ｋ番目のＦＬＯ  ＲＦチャネルにおいてインデックスｉを有する副搬送波の周波数（表５．２．１．１．１−１）fSC(k,i)は、次式に従って計算される。
【００９１】
fSO(k,i) = fC(k) + (i − 2048) × (Δf)SC
ここで、
fC(k)は、ｋ番目のＦＬＯ  ＲＦチャネルに関する中心周波数である。
【００９２】
(Δf)SCは、副搬送波スペースである。
【００９３】
５．２．１．２．２．４  副搬送波インターレース
アクティブ副搬送波は、０乃至７のインデックスが付けられた８つのインターレースに細分される。各インターレースは、５００の副搬送波で構成される。インターレース内の副搬送波は、周波数で[8×(Δf)SC]Hzのスペースを有し２２、ここで、(Δf)SCは副搬送波のスペースである。
【００９４】
各インターレース内の副搬送波は、ＦＬＯ  ＲＦチャネル帯域幅の５．５５ＭＨｚにわたる。インデックスｉを有するアクティブ副搬送波は、インターレースIjに割り当てられ、ここで、ｊ＝ｉｍｏｄ８である。各インターレース内の副搬送波インデックスは、昇順で順に配列される。インターレース内の各副搬送波の番号付けは、０，１，．．．４９９の範囲である。
【００９５】
５．２．１．２．８  フレーム及びチャネル構造
送信信号はスーパーフレームに分割される。各スーパーフレームは、１秒に相当する継続時間TSFを有し、さらに１２００のＯＦＤＭシンボルから成る。スーパーフレーム内のＯＦＤＭシンボルは、０乃至１１９９の番号が付される。ＯＦＤＭシンボル間隔Tsは、８３３．３３．．．マイクロ秒である。ＯＦＤＭシンボルは、ＯＦＤＭチップと呼ばれる幾つかの時間領域ベースバンドサンプルによって構成される。これらのチップは、毎秒５．５５×１０６の速度で送信される。
【００９６】
総ＯＦＤＭシンボル間隔Tsは、図５．２．１．２．３−１において示されるように、４つの部分、すなわち、継続時間TUを有する有用部分、継続時間TFGIを有するフラットなガード間隔、及び２つの側における継続時間TWGIの２つのウィンドーイングされた間隔によって構成される。連続するＯＦＤＭシンボル間にはTWGIのオーバーラップが存在する（５．２．１．２．１１．３−１参照）。
【００９７】
有効ＯＦＤＭシンボル間隔は、Ts = TWGI + TFGI + TUである。
【数５】
2008508814.tif 000011
【００９８】
＿＿＿＿＿＿
22  インターレースゼロは除く。インデックス２０４８を有する副搬送波は使用されないため、このインターレースの中央の２つの副搬送波は16×(Δf)SCだけ分離される。
[３図]
2008508814.tif 000012
総シンボル継続時間はTs ’= Ts + TWGIである。
【００９９】
以下においては、有効ＯＦＤＭシンボル継続時間はＯＦＤＭシンボル間隔と呼ばれる。ＯＦＤＭシンボル間隔中には、変調信号はアクティブ副搬送波の各々において搬送される。
【０１００】
ＦＬＯ物理層チャネル（図１．５−１参照）は、ＴＤＭパイロットチャネル，ＦＤＭパイロットチャネル、ＯＩＳチャネル、及びデータチャネルである。ＴＤＭパイロットチャネル、ＯＩＳチャネル、及びデータチャネルは、スーパーフレーム全体において時分割多重化される。ＦＤＭパイロットチャネルは、図５．２．１．２．３−２において示されるように、スーパーフレーム全体においてＯＩＳチャネル及びデータチャネルと周波数分割多重化される。
【０１０１】
ＴＤＭパイロットチャネルは、ＴＤＭパイロット１チャネル、ワイドエリア識別チャネル（ＷＩＣ）、ローカルエリア識別チャネル（ＬＩＧ）、ＴＤＭパイロット２チャネル、遷移パイロットチャネル（ＴＰＣ）及びポジショニングパイロットチャネル（ＰＰＣ）によって構成される。ＴＤＭパイロット１チャネル、ＷＩＯ、ＬＩＣ及びＲＤＭパイロット２チャネルは、各々が、１つのＯＦＤＭシンボル全体にわたり、スーパーフレームの最初に現れる。１つのＯＦＤＭシンボル全体にわたる遷移パイロットチャネル（ＴＰＣ）は、各ワイドエリア及びローカルエリアのデータ又はＯＩＳチャネル送信に先行及び後続する。ワイドエリアチャネル（ワイドエリアＯＩＳ又はワイドエリアデータ）の側面のＴＰＣは、ワイドエリア遷移パイロットチャネル（ＷＴＰＣ）と呼ばれる。ローカルエリアチャネル（ローカルエリアＯＩＳ又はローカルエリアデータチャネル）送信の側面のＴＰＣは、ローカルエリア遷移パイロットチャネル（ＬＴＰＣ）と呼ばれる。ＷＴＰＣ及びＬＴＰＣは、各々が１０のＯＦＤＭシンボルを占有し、合計ではスーパーフレーム内において２０のＯＦＤＭシンボルを占有する。ＰＰＣは可変の継続時間を有し、その状態（存在の有無及び継続時間）はＯＩＳチャネルでシグナリングされる。存在するときには、スーパーフレームの最後において６、１０又は１４のＯＦＤＭシンボルにわたる。ＰＰＣが存在しないときには、２つのＯＦＤＭシンボルがスーパーフレームの最後において予約される。
【０１０２】
ＯＩＳチャネルは、スーパーフレーム内において１０のＯＦＤＭシンボルを占有し、さらにスーパーフレーム内の第１のＷＴＰＣ ＯＦＤＭシンボルの直後に続く。ＯＩＳチャネルは、ワイドエリアＯＩＳチャネル及びローカルエリアＯＩＳチャネルによって構成される。ワイドエリアＯＩＳチャネル及びローカルエリアＯＩＳチャネルは、各々が５のＯＦＤＭシンボルの継続時間を有し、さらに２つのＴＰＣ ＯＦＤＭシンボルだけ分離される。
【０１０３】
ＦＤＭパイロットチャネルは、スーパーフレーム内の１１７４、１１７０、１１６６又は１１６２のＯＦＤＭ２３シンボルにわたる。ＦＤＭパイロットチャネルは、ワイドエリア及びローカルエリアのＯＩＳチャネル及びデータチャネルと周波数分割多重化される。
【０１０４】
データチャネルは、１１６４、１１６０、１１５６又は１１５２のＯＦＤＭ２４シンボルにわたる。データチャネル送信及び各データチャネル送信の直前又は直後の１６のＴＰＣ ＯＦＤＭシンボル送信が４つのフレームに分割される。
【０１０５】
ＰＰＣ内のＯＦＤＭシンボル数又はＰＰＣがスーパーフレーム内に存在しない場合は予約ＯＦＤＭシンボル数をＰとする。
【０１０６】
フレーム内のワイドエリアデータチャネルと関連づけられたＯＦＤＭシンボル数をＷとする。
【０１０７】
フレーム内のローカルエリアデータチャネルと関連づけられたＯＦＤＭシンボル数をＬとする。
【０１０８】
フレーム内のＯＦＤＭシンボル数をＦとする。
【０１０９】
次に、これらのフレームパラメータが以下の方程式の組によって関連づけられる。
【数６】
2008508814.tif 000013
【０１１０】
図５．２．１．２．３−２は、Ｐ、Ｗ及びＬに関するスーパーフレーム及びチャネル構造を示す。
【０１１１】
＿＿＿＿＿＿＿＿
23  これらの値は、各スーパーフレーム内に存在する２つの予約ＯＦＤＭシンボル又は６，１０及び１４のＰＰＣ  ＯＦＤＭシンボルのいずれかにそれぞれ対応する。
【０１１２】
24  これらの値は、各スーパーフレーム内に存在する２つの予約ＯＦＤＭシンボル又は６，１０及び１４のＰＰＣ  ＯＦＤＭシンボルのいずれかにそれぞれ対応する。
[４図]
2008508814.tif 000014
ＰＰＣが存在しないときには、各フレームは、２９５のＯＦＤＭシンボルにわたり、２４５．８３３３．．．ｍｓに相当する継続時間ＴＦを有する（図５．２．１．２．３−２参照）。各スーパーフレームの最後には２つの予約ＯＦＤＭシンボルが存在することに注目すること。ＰＰＣがスーパーフレームの最後に存在するときには、各フレームは、表５．２．１．２．３．−１に示されるように可変数のＯＦＤＭシンボルにわたる。
【表３】
2008508814.tif 000015
【０１１３】
各フレーム中のデータチャネルは、ローカルエリアデータチャネルとワイドエリアデータチャネルの間で時分割多重化される。ワイドエリアデータに割り当てられたフレーム部分は、
【数７】
2008508814.tif 000016
【０１１４】
であり、０乃至１００％の範囲で変動する。
【０１１５】
ＯＩＳチャネルで送信される物理層パケットはＯＩＳパケットと呼ばれ、データチャネルで送信される物理層パケットはデータパケットと呼ばれる。
【０１１６】
５．２．１．２．４  フローコンポーネント及び階層化変調
ＦＬＯネットワークにおけるフローマルチキャストと関連する音声又は映像のコンテンツは、２つのコンポーネント、すなわち、広範囲にわたって受信される基本（Ｂ）コンポーネント及びより制限されたカバレッジエリアにおいて基本コンポーネントによって提供されるオーディオビジュアル的経験に基づいて向上するエンハンスメント（Ｅ）コンポーネント、で送信することができる。
【０１１７】
基本及びエンハンスメントコンポーネント物理層パケットは、まとめて変調シンボルにマッピングされる。このＦＬＯの特長は階層化変調と呼ばれる。
【０１１８】
５．２．１．２．５  ＭｅｄｉａＦＬＯ論理チャネル
物理層によって送信されるデータパケットは、ＭｅｄｉａＦＬＯ論理チャネル（ＭＬＣ）と呼ばれる１つ以上の仮想チャネルと関連づけられる。ＭＬＣは、ＦＬＯデバイスによって独立して受信されることになるＦＬＯサービスの復号可能コンポーネントである。サービスは、複数のＭＬＣで送信することができる。しかしながら、サービスと関連する音声フロー又は映像フローの基本及びエンハンスメントコンポーネントは、単一のＭＬＣで送信される。
【０１１９】
５．２．１．２．６  ＦＬＯ送信モード
変調型と内部符号化率の組合せは、「送信モード」と呼ばれる。ＦＬＯシステムは表５．２．１．２．６−１に記載の１２の送信モードをサポートする。
【０１２０】
ＦＬＯネットワークにおいては、送信モードは、ＭＬＣが具体化時には固定されており、めったに変更されない。この制限は、各ＭＬＣに関して一定のカバレッジエリアを維持する目的で課せられる。
【表４】
2008508814.tif 000017
【０１２１】
５．２．１．２．７  ＦＬＯスロット
ＦＬＯネットワークにおいては、ＯＦＤＭシンボルを通じてＭＬＣに割り当てられる最小単位の帯域幅は、５００の変調シンボルのグループに対応する。この５００の変調シンボルのグループは、スロットと呼ばれる。（ＭＡＣ層内の）スケジューラ機能は、スーパーフレームのデータ部分中にＭＬＣにスロットを割り当てる。スケジューラ機能がＯＦＤＭシンボル内のＭＬＣへの送信のために帯域幅を割り当てるときには、整数単位のスロットで行う。
【０１２２】
＿＿＿＿＿＿＿＿
２５  このモードはＯＩＳチャネル専用である。
【０１２３】
すべてのＯＦＤＭシンボル中に８つのスロットが存在する２６。これらのスロットは、０乃至７の番号が付される。ＷＩＣチャネル及びＬＩＣチャネルは、各々が１つのスロットを占有する。ＴＤＭパイロット２チャネルは、４つのスロットを占有する。ＴＰＣ（ワイドエリア及びローカルエリア）は、８つのすべてのスロットを占有する。ＦＤＭパイロットチャネルは、インデックス０を有する１つのスロットを占有し、ＯＩＳ／データチャネルは、インデックス１乃至７を有する最大で７つのスロットを占有することができる。各スロットは、インターレースを通じて送信される。スロットからインターレースへのマッピングは、ＯＦＤＭシンボルごとに異なり、５．２．１．２．１０において説明される。
【０１２４】
５．２．１．２．８  ＦＬＯデータ速度
ＦＬＯシステムにおいては、異なるＭＬＣが異なるモードを利用可能であるためデータ速度計算は複雑である。データ速度計算は、すべてのＭＡＣが同じ送信モードを使用すると仮定することによって単純化される。表５．２．１．２．８−１は、７つのすべてのデータスロットが用いられると仮定した場合における異なる送信モードに関する物理層データ速度を示す。
【表５】
2008508814.tif 000018
【０１２５】
＿＿＿＿＿＿
２６  スーパーフレーム内のＴＤＭパイロット１チャネルを除く。
【０１２６】
２７  ＴＤＭパイロットチャネル及び外符号に起因するオーバーヘッドは減じられない。この速度は、データチャネル中にデータが送信される速度である。モード６乃至１１に関しては、引用されている速度は、２つのコンポーネントの結合速度である。各コンポーネントに関する速度は、この値の１／２になる。
【０１２７】
５．２．１．２．９  ＦＬＯ物理層チャネル
ＦＬＯ物理層は、以下のサブチャネルによって構成される。
【０１２８】
・ＴＤＭパイロットチャネル
・ワイドエリアＯＩＳチャネル
・ローカルエリアＯＩＳチャネル
・ワイドエリアＦＤＭパイロットチャネル
・ローカルエリアＦＤＭパイロットチャネル
・ワイドエリアデータチャネル
・ローカルエリアデータチャネル
５．２．１．２．９．１ＴＤＭパイロットチャネル
ＴＤＭパイロットチャネルは、以下のコンポーネントチャネルによって構成される。
【０１２９】
５．２．１．２．９．１．１  ＴＤＭパイロット１チャネル
ＴＤＭパイロット１チャネルは、１つのＯＦＤＭシンボルにわたる。前記チャネルは、スーパーフレーム内のＯＦＤＭシンボルインデックス０において送信される。前記チャネルは、新しいスーパーフレームの開始をシグナリングする。前記チャネルは、おおまかなＯＦＤＭシンボルタイミング、スーパーフレーム境界及び搬送波周波数オフセットを決定するためにＦＬＯデバイスによって用いることができる。
【０１３０】
ＴＤＭパイロット１波形は、図５．２．１．２．９．１．１−１に示されるステップを用いて送信機内において生成される。
[５図]
2008508814.tif 000019
５．２．１．２．９．１．１．１  ＴＤＭパイロット１副搬送波
ＴＤＭパイロット１ＯＦＤＭシンボルは、周波数領域内の１２４のゼロ以外の副搬送波によって構成され、これらの副搬送波は、アクティブ副搬送波間で等間隔で配置される（５．２．１．２．２．１．２参照）。ｊ番目のＴＤＭパイロット１副搬送波は、以下のように定義される副搬送波インデックスｊに対応する。
【数８】
2008508814.tif 000020
【０１３１】
ＴＤＭパイロット１チャネルは、インデックス２０４８を有する副搬送波は使用しないことに注意すること。
【０１３２】
５．２．１．９．１．１．２  ＴＤＭパイロット１固定情報パターン
ＴＤＭパイロット１副搬送波は、固定された情報パターンを用いて変調される。このパターンは、生成器シーケンスh(D) = D20+D17+1及び初期状態‘11110000100000000000’を有する２０タップ線形フィードバックシフトレジスタ（ＬＦＳＲ）を用いて生成される。各出力ビットは次の方法で得られる。すなわち、ＬＦＳＲ状態がベクトル[s20s19s18s17s16s15s14s13s12s11s10s9s8s7s6s5s4s3s2s1]である場合は、出力ビットは、[s19 ＋ s4]になる。ここで、＋は、モジュロ2加算28を表す。ＬＦＳＲ構造は、図５．２．１．２．９．１．１．２−１に示されるとおりである。
【０１３３】
固定情報パターンは、第１の２４８の出力ビットに対応する。固定パターンの第１の３５ビットは、‘11010100100110110111001100101100001’であり、‘110’が最初に現れる。
[６図]
2008508814.tif 000021
２４８ビットＴＤＭパイロット１固定パターンは、ＴＤＭパイロット１情報パケットと呼ばれ、Ｐ１Ｉによって表される。
【０１３４】
P1Iパケット内の２つの連続ビットから成る各グループは、ＱＰＳＫ変調シンボルを生成するために使用される。
【０１３５】
５．２．１．２．９．１．１．３  変調シンボルマッピング
ＴＤＭパイロット１情報パケットにおいては、s0及びs1のラベルがそれぞれ付けられた２つの連続ビットP1I(2i)及びP1I(2i+1), i = 0,1,…,123の各グループは、Ｄ＝４を用いて２９表５．２．１．２．９．１．１．３−１に示されるように複素変調シンボルMS= (mI, mQ)内にマッピングされる。図５．２．１．２．９．１．１．３−１は、ＱＰＳＫ変調に関する信号コンスタレーションを示す。
【０１３６】
＿＿＿＿＿＿
２８  スロット１と関連するマスクに対応する（表５．２．１．２．９．１．２．３−１参照）。
【０１３７】
２９  この係数は、４０００の利用可能な搬送波のうちの１２４のみが用いられていることに基づいて計算される。
【数９】
2008508814.tif 000022
【表６】
2008508814.tif 000023
[７図]
2008508814.tif 000024
５．２．１．２．９．１．１．４  副搬送波への変調シンボルのマッピング
ｉ番目の変調シンボルMS(i), i = 0, 1,…,123は、５．２．１．２．９．１．１．１に示されるようにインデックスｊを有する副搬送波にマッピングされる。
【０１３８】
５．２．１．２．９．１．１．５  ＯＦＤＭ共通動作
変調されたＴＤＭパイロット１副搬送波は、５．２．１．２．１１に示される共通動作を経る。
【０１３９】
５．２．１．２．９．１．２  ワイドエリア識別チャネル（ＷＩＣ）
ワイドエリア識別チャネル（ＷＩＣ）は、１つのＯＦＤＭシンボルにわたる。前記チャネルは、スーパーフレーム内においてＯＦＤＭシンボルインデックス１で送信される。前記チャネルは、ＴＤＭパイロット１ＯＦＤＭシンボルに従う。このチャネルは、ワイドエリア微分器情報をＦＬＯ受信機に搬送するために用いられるオーバーヘッドチャネルである。ワイドエリア３０内のすべての送信波形は、そのエリアに対応する４ビットワイドエリア微分器を用いてスクランブリングされる。
【０１４０】
スーパーフレーム内のＷＩＣ  ＯＦＤＭシンボルに関しては、１つのスロットのみが割り当てられる。割り当てられたスロットは、１０００ビットの固定パターンを入力として使用し、各ビットはゼロに設定される。入力されたビットパターンは、図５．２．１．２．９．１．２−１において示されるステップに従って処理される。割り当てられていないスロットに関しては処理は行われない。
[８図]
2008508814.tif 000025
５．２．１．２．９．１．２．１  スロット割当て
ＷＩＣは、インデックス３を有するスロットが割り当てられる。ＷＩＣ  ＯＦＤＭシンボル内の割り当てられたスロット及び割り当てられていないスロットが図５．２．１．２．９．１．２．１−１に示されている。選択されたスロットインデックスは、ＯＦＤＭシンボルインデックス１に関するインターレース０にマッピングするスロットインデックスである（５．２．１．２．１０参照）。
【０１４１】
＿＿＿＿＿＿＿＿＿
３０  ローカルエリアチャネルを含むがＴＤＭパイロット１チャネルとＰＰＣを除く。
[９図]
2008508814.tif 000026
５．２．１．２．９．１．２．２  スロットバッファを満たす
割り当てられたスロットに関するバッファは、１０００ビットから成る固定パターンで完全に満たされ、各ビットが‘０’に設定される。割り当てられていないスロットに関するバッファは、空の状態のままである。
【０１４２】
５．２．１．２．９．１．２．３  スロットスクランブリング
各割り当てられたスロットバッファのビットは、変調前にこれらのビットをランダム化するためにスクランブラ出力ビットと順次でＸＯＲされる。スロットインデックスｉに対応するスクランブリングされたスロットバッファは、SB(i)で表され、ここで、
【数１０】
2008508814.tif 000027
【０１４３】
である。スロットバッファに関して用いられるスクランブリングシーケンスは、ＯＦＤＭシンボルインデックス及びスロットインデックスに依存する。
【０１４４】
スクランブリングビットシーケンスは、図５．２．１．２．９．１．２．３−１において示されるように、生成器シーケンスh(D) = D20 + D17 +1を有する２０タップ線形フィードバックシフトレジスタ（ＬＦＳＲ）を用いて生成されるスクランブリングビットシーケンスに相当する。送信機は、すべての送信に関して単一のＬＦＳＲを使用する。
【０１４５】
すべてのＯＦＤＭシンボルの開始時において、ＬＦＳＲは、状態[d3d2d1d0c3c2c1c0b0a10a9a8a7a6a5a4a3a2a1a0]に初期設定され、前記状態は、チャネル型（ＴＤＭパイロット、ワイドエリアチャネル又はローカルエリアチャネル）、及びスーパーフレーム内のＯＦＤＭシンボルインデックスに依存する。
【０１４６】
ビット‘d3d2d1d0’は次のように設定される。
【０１４７】
・全ワイドエリアチャネル（ＷＩＣ、ＷＴＰＣ、ワイドエリアＯＩＳ及びワイドエリアデータチャネル）、ローカルエリアチャネル（ＬＩＣ、ＬＴＰＣ、ローカルエリアＯＩＳ及びローカルエリアデータチャネル）、ＴＤＭパイロット２チャネル及びＰＣＣが存在しないときの２つの予約ＯＦＤＭシンボルに関して、これらのビットは、４ビットワイドエリア微分器（ＷＩＤ）に設定される。
【０１４８】
ビット‘c3c2c1c0’は次のように設定される。
【０１４９】
・ＴＤＭパイロット２チャネル、ワイドエリアＯＩＳチャネル、ワイドエリアデータチャネル、ＷＴＰＣ及びＷＩＣに関して、これらのビットは‘0000’に設定される。
【０１５０】
・ローカルエリアＯＳＩチャネル、ＬＴＰＣ、ＬＩＣ、ローカルエリアデータチャネル及びＰＣＣが存在しないときの２つの予約ＯＦＤＭシンボルに関して、これらのビットは、４ビットローカルエリア微分器（ＬＩＤ）に設定される。
【０１５１】
ビットb0は予約ビットであり、‘１’に設定される。
【０１５２】
ビットa10乃至a0は、スーパーフレーム内のＯＦＤＭシンボルインデックス番号に対応し、０乃至１１９９の範囲である。
【０１５３】
各スロットに関するスクランブリングシーケンスは、シーケンス生成器の２０ビット状態ベクトルと表５．２．１．２．９．１．２．３−１に示されるそのスロットインデックスと関連する２０ビットマスクのモジュロ２内積によって生成される。
【表７】
2008508814.tif 000028
【０１５４】
シフトレジスタは、すべてのＯＦＤＭシンボルの開始時に各スロットに関する新しい状態[d3d2d1d0c3c2c1c0b0a10a9a8a7a6a5a4a3a2a1a0]が再ローディングされる。
[１０図]
2008508814.tif 000029
５．２．１．２．９．１．２．４  変調シンボルマッピング
ｉ番目のスクランブリングされたスロットバッファからの、s0及びs1のラベルがそれぞれ付された２つの連続ビットSB(i, 2k)及びSB(i, 2k + 1), i = 3, k = 0, 1,…499の各グループは、Ｄ＝２を用いて３１表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０１５５】
５．２．１．２．９．１．２．５  インターレースへのスロットのマッピング
ＷＩＣ  ＯＦＤＭシンボルに関するインターレースへのスロットのマッピングは、５．２．１．２．１０に示されるとおりである。
【０１５６】
５．２．１．２．９．１．２．６  インターレース副搬送波へのスロットバッファ変調シンボルのマッピング
割り当てられたスロット内の５００の変調シンボルは、５００のインターレース副搬送波に対して次のように順次で割り当てられる。すなわち、ｉ番目の複素変調シンボル（ここで、
【数１１】
2008508814.tif 000030
【０１５７】
）が、そのインターレースのｉ番目の副搬送波にマッピングされる。
【０１５８】
５．２．１．２．９．１．２．７  ＯＦＤＭ共通動作
変調されたＷＩＣ副搬送波は、変調されたＴＤＭパイロット１副搬送波は、５．２．１．２．１１に示される共通動作を経る。
【０１５９】
５．２．１．２．９．１．３  ローカルエリア識別チャネル（ＬＩＣ）
ローカルエリア識別チャネル（ＬＩＣ）は、１つのＯＦＤＭシンボルにわたる。前記チャネルは、スーパーフレーム内においてＯＦＤＭシンボルインデックス２で送信される。前記チャネルは、ＷＩＣチャネルＯＦＤＭシンボルに従う。このチャネルは、ローカルエリア微分器情報をＦＬＯ受信機に搬送するために用いられるオーバーヘッドチャネルである。すべてのローカルエリア送信波形は、４ビットローカルエリア微分器を、前記エリアに対応するワイドエリア微分器ともに用いてスクランブリングされる。
【０１６０】
スーパーフレーム内のＬＩＣ  ＯＦＤＭシンボルに関しては、単一のスロットのみが割り当てられる。割り当てられたスロットは、１０００ビットの固定パターンを入力として使用する。これらのビットは、ゼロに設定される。これらのビットは、図５．２．１．２．９．１．２−１に示されるステップに従って処理される。割り当てられていないスロットに関しては処理は行われない。
【０１６１】
５．２．１．２．９．３．１．スロット割当て
ＬＩＣは、インデックス５を有するスロットが割り当てられる。ＬＩＣ  ＯＦＤＭシンボル内の割り当てられたスロット及び割り当てられていないスロットが図５．２．１．２．９．１．３．１−１に示されている。選択されたスロットインデックスは、ＯＦＤＭシンボルインデックス２に関するインターレース０にマッピングするスロットインデックスである（５．２．１．２．１０参照）。
【０１６２】
＿＿＿＿＿＿
３１  ４０００の利用可能副搬送波のうちの５００しか使用されないため、Ｄの値はＯＦＤＭシンボルエネルギーを一定に保つために選択される。
[１１図]
2008508814.tif 000031
５．２．１．２．９．１．３．２  スロットバッファを満たす
割り当てられたスロットに関するバッファは、１０００ビットから成る固定パターンで完全に満たされ、各ビットが‘０’に設定される。割り当てられていないスロットに関するバッファは空の状態のままである。
【０１６３】
５．２．１．２．９．１．３．３  スロットスクランブリング
ＬＩＣスロットバッファのビットは、５．２．１．２．９．１．２．３に示されるようにスクランブリングされる。スクランブリングされたスロットバッファは、SBによって表される。
【０１６４】
５．２．１．２．９．１．３．４  変調シンボルマッピング
ｉ番目のスクランブリングされたスロットバッファからの、s0及びs1のラベルがそれぞれ付された２つの連続ビットSB(i, 2k)及びSB(i, 2k + 1), i = 5, k = 0, 1,…499の各グループは、Ｄ＝２を用いて３２表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０１６５】
５．２．１．２．９．１．３．５  インターレースへのスロットのマッピング
ＬＩＣ  ＯＦＤＭシンボルに関するインターレースへのスロットのマッピングは、５．２．１．２．１０に示されるとおりである。
【０１６６】
＿＿＿＿＿＿＿＿＿
３２  ４０００の利用可能な副搬送波のうちの５００しか使用されないため、Ｄの値はＯＦＤＭシンボルエネルギーを一定に保つために選択される。
【０１６７】
５．２．１．２．９．１．３．６  インターレース副搬送波へのスロットバッファ変調シンボルのマッピング
割り当てられたスロット内の５００の変調シンボルは、５００のインターレース副搬送波に対して次のように順次で割り当てられる。すなわち、ｉ番目の複素変調シンボル（ここで、
【数１２】
2008508814.tif 000032
【０１６８】
）が、そのインターレースのｉ番目の副搬送波にマッピングされる。
【０１６９】
５．２．１．２．９．１．３．７  ＯＦＤＭ共通動作
変調されたＬＩＣ副搬送波は、５．２．１．２．１１に示される共通動作を経る。
【０１７０】
５．２．１．２．９．１．４  ＴＤＭパイロット２チャネル
ＴＤＭパイロット２チャネルは、１つのＯＦＤＭシンボルにわたる。前記チャネルは、スーパーフレーム内においてＯＦＤＭシンボルインデックス３で送信される。前記チャネルは、ＬＩＣ  ＯＦＤＭシンボルに従う。前記チャネルは、ＦＬＯ受信機におけるＯＦＤＭシンボルタイミングの微補正のために用いることができる。
【０１７１】
各スーパーフレーム内のＴＤＭパイロット２ＯＦＤＭシンボルに関して、４つのスロットのみが割り当てられる。各割り当てられたスロットは、１０００ビットの固定パターンを入力として使用し、各ビットがゼロに設定される。これらのビットは、図５．２．１．２．９．１．２−１に示されるステップに従って処理される。割り当てられていないスロットに関しては処理は行われない。
【０１７２】
図５．２．１．２．９．１．２−１において、インターレースへのスロットのマッピング（５．２．１．２．１０参照）は、割り当てられたスロットがインターレース０，２，４，及び６内にマッピングされることを保証する。従って、ＴＤＭパイロット２ＯＦＤＭシンボルは、２０００のゼロ以外の副搬送波から成り、これらの副搬送波は、アクティブな副搬送波間において均一なスペースで配置される（５．２．１．２．２．１．２参照）。i番目のＴＤＭパイロット２副搬送波は、以下のように定義された副搬送波インデックスｊに対応する。
【数１３】
2008508814.tif 000033
【０１７３】
ＴＤＭパイロット２チャネルは、インデックス２０４８を有する副搬送波は使用しないことに注目すること。
【０１７４】
５．２．１．２．９．４．１．スロット割当て
ＴＤＭパイロット２ＯＦＤＭシンボルに関して、割り当てられたスロットは、インデックス０、１、２及び７を有する
ＴＤＭパイロット２ＯＦＤＭシンボル内の割り当てられたスロット及び割れ当てられていないスロットが図５．２．１．２．９．１．４−１に示されている。
[１２図]
2008508814.tif 000034
５．２．１．２．９．１．４．２  スロットバッファを満たす
各割り当てられたスロットに関するバッファは、１０００ビットから成る固定パターンが完全に満たされ、各ビットが‘０’に設定される。割り当てられていないスロットに関するバッファは空の状態になる。
【０１７５】
５．２．１．２．９．１．４．３  スロットスクランブリング
ＴＤＭパイロット２チャネルスロットバッファのビットが、５．２．１．２．９．１．２．３に示されるようにスクランブリングされる。スクランブリングされたスロットは、ＳＢによって表される。
【０１７６】
５．２．１．２．９．１．４．４  変調シンボルマッピング
ｉ番目のスクランブリングされたスロットバッファからの、s0及びs1のラベルがそれぞれ付された２つの隣接ビットSB(i, 2k)及びSB(i, 2k + 1), i = 0,,1,2,7, k = 0, 1,…499の各グループは、Ｄ＝１を用いて３３表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０１７７】
＿＿＿＿＿＿＿
３３  ４０００の利用可能な副搬送波のうちの２０００しか使用されないため、Ｄの値はＯＦＤＭシンボルエネルギーを一定に保つために選択される。
【０１７８】
５．２．１．２．９．１．４．５  インターレースへのスロットのマッピング
ＴＤＭパイロット２チャネルＯＦＤＭシンボルに関するインターレースへのスロットのマッピングは、５．２．１．２．１０に示されるとおりである。
【０１７９】
５．２．１．２．９．１．４．６  インターレース副搬送波へのスロットバッファ変調シンボルのマッピング
割り当てられたスロット内の５００の変調シンボルは、５００のインターレース副搬送波に対して次のように順次で割り当てられる。すなわち、ｉ番目の複素変調シンボル（ここで、
【数１４】
2008508814.tif 000035
【０１８０】
）がそのインターレースのｉ番目の副搬送波にマッピングされる。
【０１８１】
５．２．１．２．９．１．４．７  ＯＦＤＭ共通動作
変調されたＴＤＭパイロット１副搬送波は、５．２．１．２．１１に示される共通動作を経る。
【０１８２】
５．２．１．２．９．１．５  遷移パイロットチャネル（ＴＰＣ）
遷移パイロットチャネルは、２つのサブチャネル、すちなわ、ワイドエリア遷移パイロットチャネル（ＷＴＰＣ）及びローカルエリア遷移パイロットチャネル（ＬＴＰＣ）によって構成される。ワイドエリアＯＩＳ及びワイドエリアデータチャネルの側面のＴＣＰは、ＷＴＰＣと呼ばれる。ローカルエリアＯＩＳ及びローカルエリアデータチャネルの側面のＴＣＰは、ＬＴＣＰと呼ばれる。ＷＴＰＣは、スーパーフレームでのすべてのワイドエリアチャネル送信のいずれかの側の１つのＯＦＤＭシンボルにわたる３４（ワイドエリアデータ及びワイドエリアＯＩＳチャネル）。ＬＴＰＣは、すべてのローカルエリアチャネル送信のいずれかの側の１つのＯＦＤＭシンボルにわたる３５（ローカルエリアデータ及びローカルエリアＯＩＳチャネル）。ＴＰＣ  ＯＦＤＭシンボルの目的は次の２つ、すなわち、ローカルエリアチャネルとワイドエリアチャネルとの間の境界におけるチャネル推定を可能にすること、及び各フレーム内の第１のワイドエリア（又はローカルエリア）ＭＬＣに関するタイミング同期化を容易にすることである。
【０１８３】
ＴＰＣは、スーパーフレーム内の２０のＯＦＤＭシンボルにわたり、これらのＯＦＤＭシンボルは、図５．２．１．２．３−２に示されるようにＷＴＰＣとＬＴＰＣとの間で均等に分割される。ＬＴＰＣ及びＷＴＰＣ送信が互いの真横で発生するインスタンスが9つ存在し、これらのチャネルのうちの１つだけが送信されるインスタンスが2つ存在する。ＴＤＭパイロット２チャネルの後にはＷＴＰＣのみが送信され、ポジショニングパイロットチャネル（ＰＰＣ）／予約ＯＦＤＭシンボルの前にはＬＴＰＣのみが送信される。
【０１８４】
ＰＰＣ内のＯＦＤＭシンボル数又はＰＰＣがスーパーフレーム内に存在しない場合は予約ＯＦＤＭシンボル数をＰとする。
【０１８５】
フレーム内のワイドエリアデータチャネルと関連づけられたＯＦＤＭシンボル数をＷとする。
【０１８６】
フレーム内のローカルエリアデータチャネルと関連づけられたＯＦＤＭシンボル数をＬとする。
【０１８７】
フレーム内のＯＦＤＭシンボル数をＦとする。
【０１８８】
＿＿＿＿＿＿＿＿
３４  ＷＩＣを除く。
【０１８９】
３５  ＬＩＣを除く。
【０１９０】
Ｐの値は、２、６、１０又は１４である。フレーム内のデータチャネルＯＦＤＭシンボル数は、Ｆ−４である。スーパーフレーム内のＴＰＣ  ＯＦＤＭシンボルの正確な位置は、表５．２．１．２．９．１．５−１に示されたとおりである。
【表８】
2008508814.tif 000036
【０１９１】
ＴＰＣ  ＯＦＤＭシンボル内の全スロットは、１０００ビットの固定パターンを入力として使用し、各ビットがゼロに設定される。これらのビットは、図５．２．１．２．９．１．２−１に示されるステップに従って処理される。
【０１９２】
５．２．１．２．９．１．５．１  スロット割当て
ＴＰＣ  ＯＦＤＭシンボルは、インデックス０乃至７を有する８つの全スロットが割り当てられる。
【０１９３】
５．２．１．２．９．１．５．２  スロットバッファを満たす
各割り当てられたスロットに関するバッファは、１０００ビットから成る固定パターンが完全に満たされ、各ビットが‘０’に設定される。
【０１９４】
５．２．１．２．９．１．５．３  スロットスクランブリング
各割り当てられたＴＰＣスロットバッファのビットは、５．２．１．２．９．１．２．３に示されるようにスクランブリングされる。スクランブリングされたスロットは、ＳＢで表される。
【０１９５】
５．２．１．２．９．１．５．４  変調シンボルマッピング
ｉ番目のスクランブリングされたスロットバッファからの、s0及びs1のラベルがそれぞれ付された２つの連続ビットSB(i, 2k)及びSB(i, 2k + 1), i =0,1,2,…7, k = 0, 1,…499の各グループは、
【数１５】
2008508814.tif 000037
【０１９６】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０１９７】
５．２．１．２．９．１．５．５  インターレースへのスロットのマッピング
ＴＰＣ  ＯＦＤＭシンボルに関するインターレースへのスロットのマッピングは、５．２．１．２．１０に示されるとおりである。
【０１９８】
５．２．１．２．９．１．５．６  インターレース副搬送波へのスロットバッファ変調シンボルのマッピング
各割り当てられたスロット内の５００の変調シンボルは、５００のインターレース副搬送波に対して次のように順次で割り当てられる。すなわち、ｉ番目の複素変調シンボル（ここで、
【数１６】
2008508814.tif 000038
【０１９９】
）が、そのインターレースのｉ番目の副搬送波にマッピングされる。
【０２００】
５．２．１．２．９．１．５．７  ＯＦＤＭ共通動作
変調されたＴＰＣ副搬送波は、５．２．１．２．１１に示される共通動作を経る。
【０２０１】
５．２．１．２．９．１．６  ポジショニングパイロット／予約シンボル
ポジショニングパイロットチャネル（ＰＰＣ）は、フーパーフレームの最後に現れることができる。ＰＰＣが存在時は、６、１０又は１４のＯＦＤＭシンボルの可変継続時間を有する。ＰＰＣが存在しないときは、２つの予約ＯＦＤＭシンボルがスーパーフレームの最後に存在する。ＰＰＣの存在の有無及びその継続時間はＯＩＳチャネルを通じてシグナリングされる。
【０２０２】
５．２．１．２．９．１．６．１  ポジショニングパイロットチャネル
送信された情報及び波形生成を含むＰＰＣ構造は後日決定される。
【０２０３】
ＦＬＯデバイスは、自己の地理的所在位置を決定するために自主的に又はＧＰＳ信号と共同でＰＰＣを使用することができる。
【０２０４】
５．２．１．２．９．１．６．２  予約ＯＦＤＭシンボル
ＰＰＣが存在しないときは、２つの予約ＯＦＤＭシンボルがスーパーフレームの最後に存在する。
【０２０５】
予約ＯＦＤＭシンボル内の全スロットは、１０００ビットの固定パターンを入力として使用し、各ビットがゼロに設定される。これらのビットは、図５．２．１．２．９．１．２−１に示されるステップに従って処理される。
【０２０６】
５．２．１．２．９．１．６．２．１  スロット割当て
予約ＯＦＤＭシンボルは、インデックス０乃至７を有する８つの全スロットが割り当てられる。
【０２０７】
５．２．１．２．９．１．６．２．２  スロットバッファを満たす
各割り当てられたスロットに関するバッファは、１０００ビットから成る固定パターンで完全に満たされ、各ビットが‘０’に設定される。
【０２０８】
５．２．１．２．９．１．６．２．３  スロットスクランブリング
各割り当てられた予約ＯＦＤＭシンボルスロットバッファのビットは、５．２．１．２．９．１．２．３に示されるようにスクランブリングされる。スクランブリングされたスロットバッファはＳＢによって表される。
【０２０９】
５．２．１．２．９．１．６．２．４  変調シンボルマッピング
ｉ番目のスクランブリングされたスロットバッファからの、s0及びs1のラベルがそれぞれ付された２つの連続ビットSB(i, 2k)及びSB(i, 2k + 1), i = 0,1,2,…7, k = 0, 1,…499の各グループは、
【数１７】
2008508814.tif 000039
【０２１０】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０２１１】
５．２．１．２．９．１．６．２．５  インターレースへのスロットのマッピング
予約ＯＦＤＭシンボルに関するインターレースへのスロットのマッピングは、５．２．１．２．１０に示されるとおりである。
【０２１２】
５．２．１．２．９．１．６．２．６インターレース副搬送波へのスロットバッファ変調シンボルのマッピング
各割り当てられたスロット内の５００の変調シンボルは、５００のインターレース副搬送波に対して次のように順次で割り当てられる。すなわち、ｉ番目の複素変調シンボル（ここで、
【数１８】
2008508814.tif 000040
【０２１３】
）がそのインターレースのｉ番目の副搬送波にマッピングされる。
【０２１４】
５．２．１．２．９．１．６．２．７  ＯＦＤＭ共通動作
変調された予約ＯＦＤＭシンボル副搬送波は、５．２．１．２．１１に示される共通動作を経る。
【０２１５】
５．２．１．２．９．２  ワイドルエリアＯＩＳチャネル
このチャネルは、現在のスーパーフレーム内のワイドエリアデータチャネルと関連づけられたアクティブＭＬＣに関するオーバーヘッド情報、例えば、スケジューリングされた送信時間及びスロット割当てを伝達するために用いられる。ワイドエリアＯＩＳチャネルは、各スーパーフレーム内の５つのＯＦＤＭシンボル間隔にわたる（図５．２．１．２．３−２を参照）。
【０２１６】
ワイドエリアＯＩＳチャネルに関する物理層パケットは、図５．２．１．２．９．２−１に示されるステップに従って処理される。
[１３図]
2008508814.tif 000041
５．２．１．２．９．２．１  符号化
ワイドエリアＯＩＳチャネル物理層パケットは、符号化率１／５で符号化される。符号器は、入ってきた物理層パケットの６ビットＴＡＩＬフィールドを捨て、５．２．１．２．９．２．１．１に示されるように並列ターボ符号器を用いて残りのビットを符号化する。ターボ符号器は、内部で生成された６／Ｒ（＝３０）出力符号ビットのテールを追加し、このため、出力時におけるターボ符号化ビット総数は、入力された物理層パケット内のビット数の１／Ｒ倍である。
【０２１７】
図５．２．１．２．９．２．１−１は、ワイドエリアＯＩＳチャネルに関する符号化方式を示す。ワイドエリアＯＩＳチャネル符号器パラメータは、表５．２．１．２．９．２．１−１に示されるとおりである。
[１４図]
2008508814.tif 000042
【表９】
2008508814.tif 000043
【０２１８】
５．２．１．２．９．２．１．１  ターボ符号器
ターボ符号器は、並列に接続された２つの体系的反復畳み込み符号器を採用し、インターリーバーであるターボインターリーバーが第２の反復畳み込み符号器に先行する。これらの２つの反復畳み込み符号は、ターボ符号の構成符号と呼ばれる。構成符号器の出力は、希望されるターボ符号化出力ビット数を達成させるためにパンクチャリングされて反復される。
【０２１９】
符号化率１／５、１／３、１／２及び２／３のターボ符号に関して共通の構成符号が用いられる。前記構成符号の伝達関数は、以下のとおりである。
【数１９】
2008508814.tif 000044
【０２２０】
ここで、d(D) = 1 + D2 + D3, n0(D) = 1 + D + D3、及びn1(D) = 1 + D + D2 + D3
ターボ符号器は、図５．２．１．２．９．２．１．１−１において示される符号器によって生成される出力シンボルシーケンスと同一の出力シンボルシーケンスを生成する。最初に、この図の構成符号器レジスタの状態がゼロに設定される。次に、スイッチが示された位置の状態で前記構成符号器がクロックされる。
【０２２１】
符号化されたデータ出力ビットは、表５．２．１．２．９．２．１．１−１に示されるように、スイッチがアップ位置の状態で構成符号器をNturbo回クロックし、出力をパンクチャリングすることによって生成される。パンクチャリングパターン内において、‘０’はビットが削除されることを意味し、‘１’はビットが渡されることを意味する。各ビット期間に関する構成符号器出力は、X、Y0、Y1、Ｘ’、Y'0、Y'1のシーケンスで渡され、Ｘが最初に出力される。符号化されたデータ出力ビットの生成の際にはビット反復は用いられない。
【０２２２】
テール期間に関する構成符号器出力シンボルパンクチャリングは、表５．２．１．２．９．２．１．１−２に示されるとおりである。パンクチャリングパターン内において、‘０’はシンボルが削除されることを意味し、‘１’はシンボルが渡されることを意味する。
【０２２３】
符号化率１／５ターボ符号に関して、最初の３つのテール期間の各々に関するテール出力符号ビットは、シーケンスXXY0Y1Y1を達成させるためにパンクチャリング及び反復され、最後の３つのテールビット期間の各々に関するテール出力符号ビットは、シーケンスX'X'Y'0Y'1Y'1を達成させるためにパンクチャリング及び反復される。
[１５図]
2008508814.tif 000045
【表１０】
2008508814.tif 000046
【０２２４】
注：  パンクチャリング表は、上から下に進むこと。
【表１１】
2008508814.tif 000047
【０２２５】
注：符号化率１／５ターボ符号に関しては、パンクチャリング表は最初に上から下に進み、X'、X'、Y1、及びY'1を反復し、次に左から右に進むこと。
【０２２６】
５．２．１．２．９．２．１．２  ターボインターリーバー
ターボインターリーバーは、ターボ符号器の一部であり、構成符号器２に供給されるターボ符号器入力データをブロックインターリーブする。
【０２２７】
ターボインターリーバーは、機能的には、ターボインターリーバー入力ビットシーケンス全体がアレイ内の１続きのアドレスに順次で書き込まれ、次に前記シーケンス全体が、後述する手順で定義された１続きのアドレスから読み出される手法と同等である。
【０２２８】
入力アドレスのシーケンスを０乃至Ｎｔｕｒｂｏ−１とする。これで、インターリーバー出力アドレスのシーケンスは、図５．２．１．２．９．２．１．２−１に示されさらに後述されている手順によって生成されるインターリーバー出力アドレスシーケンスと同等である３６。
【０２２９】
１．ターボインターリーバーパラメータｎを決定する。ここで、ｎは、Nturbo ≦ 2n+5になる最小の整数である。表５．２．１．２．９．２．１．２−１は、１０００ビット物理層パケットに関するこのパラメータを与える。
【０２３０】
２．(n + 5)ビットカウンタを０に設定する。
【０２３１】
３．ｎの最上位ビット（ＭＳＢ）をカウンタから抽出して１を加えて新しい値を形成する。次に、この値のｎの最下位ビット（ＬＳＢ）以外の全ビットを捨てる。
【０２３２】
４．カウンタの５つのＬＳＢに等しい読取アドレスを用いて、表５．２．１．２．９．２．１．２−２において定義されたテーブルルックアップのｎビットの出力を得る。この表は、ｎの値に依存することに注意すること。
【０２３３】
５．ステップ３及び４で得られた値を乗じ、ｎのＬＳＢ以外の全ビットを捨てる。
【０２３４】
６．カウンタの５つのＬＳＢをビット反転させる。
【０２３５】
７．ステップ６において得られた値に等しいＭＳＢ及びステップ５において得られた値に等しいＬＳＢを有する仮の出力アドレスを形成する。
【０２３６】
８．前記仮の出力アドレスがNturbo未満である場合は出力アドレスとして受け入れ、Nturbo未満でない場合は前記仮の出力アドレスを捨てる。
【０２３７】
９．カウンタの値を増やし、Nturboのすべてのインターリーバー出力アドレスが得られるまでステップ３乃至８を繰り返す。
[１６図]
2008508814.tif 000048
＿＿＿＿＿＿
３６  この手順は、カウンタ値が２５ロー×２ｎカラムアレイ内にロー別に書き込まれ、これらのローがビット反転シーケンス規則に従ってシャッフルされ、各ロー内の要素が各ロー特有の線形合同シーケンスに従って置換され、仮の出力アドレスがカラムごとに読み出される手順と同等である。線形合同シーケンス規則は、x(i + 1) = (x(i) + c) mod2nであり、ここで、x(0) = cであり、cはテーブルルックアップから得られた各ロー特有の値である。
【表１２】
2008508814.tif 000049
【表１３】
2008508814.tif 000050
【０２３８】
５．２．１．２．９．２．２  ビットインターリーブ
ＯＩＳチャネル及びデータチャネルに関して、ビットインターリーブは、１つのブロックインターリーブ形態である。ターボ符号化されたパケットの符号ビットは、隣接する符号ビットが異なるコンスタレーションシンボル内にマッピングされるようなパターンでインターリーブされる。
【０２３９】
ビットインターリーバーは、以下の手順に従ってターボ符号化ビットの順序を変更する。
【０２４０】
ａ．Ｎのビットをインターリーブする場合は、ビットインターリーバーマトリクスＭは、４カラム×Ｎ／４ローブロックインターリーバーである。これらのＮの入力ビットは、インターリーブアレイ内にカラムごとに順次書き込まれる。マトリクスＭのローにインデックスｊのラベルを付け、ここで、ｊ＝０乃至Ｎ／４―１であり、ロー０が第１のローである。
【０２４１】
ｂ．偶数のインデックス(j mod 2 = 0)を有するすべてのローｊに関して、第２及び第３のカラム内の要素が互換される。
【０２４２】
ｃ．奇数のインデックス(j mod 2 != 0)を有するすべてのローに関して、第１及び第４のカラム内の要素が互換される。
【０２４３】
ｄ．結果的に得られたマトリクスを
【数２０】
2008508814.tif 000051
【０２４４】
で表わす。
【数２１】
2008508814.tif 000052
【０２４５】
の内容は、ローごとに左から右に読み出される。
【０２４６】
図５．２．１．２．９．２．２−１は、Ｎ−２０の仮説事例に関するビットインターリーバーの出力を示す。
[１７図]
2008508814.tif 000053
５．２．１．２．９．２．３  データスロット割当て
ワイドエリアＯＩＳチャネルに関して、ＯＩＳチャネルターボ符号化パケットの送信のためにＯＦＤＭシンボルごとに７つのデータスロットが割り当てられる。ワイドエリアＯＩＳチャネルは、送信モード５を使用する。従って、ワイドエリアＯＩＳチャネルは、単一のターボ符号化パケットの内容を収容するための５つのデータスロットを要求する。いくつかのワイドエリアＯＩＳチャネルターボ符号化パケットは、２つの連続するＯＦＤＭシンボルにわたることができる。データスロット割当ては、ＭＡＣ層において行われる（４．８参照）。
【０２４７】
５．２．１．２．９．２．４  データスロットバッファを満たす
ワイドエリアＯＩＳチャネルターボ符号化パケットのビットインターリーブされた符号ビットは、図５．２．１．２．９．２．４−１に示されるように、いずれか１つの又は２つの連続するＯＦＤＭシンボルにおける５つの連続するデータスロットバッファ内に順次で書き込まれる。これらのデータスロットバッファは、スロットインデックス１乃至７に対応する。データスロットバッファサイズは、１０００ビットである３７。７つのワイドエリアＯＩＳチャネルターボ符号化パケット（ＴＥＰ）は、ワイドエリアＯＩＳチャネル内の５つの連続するＯＦＤＭシンボルにわたって連続するスロットを占有する（図５．２．１．２．３−２）。
[１８図]
2008508814.tif 000054
５．２．１．２．９．２．５  スロットスクランブリング
各割り当てられたスロットバッファのビットは、５．２．１．２．９．１．２．３に示されるようにスクランブリングされる。スクランブルされたスロットバッファはＳＢで表される。
【０２４８】
５．２．１．２．９．２．６  変調シンボルへのビットのマッピング
ｉ番目のスクランブリングされたスロットバッファからの、s0及びs1のラベルがそれぞれ付された２つの連続ビットSB(i, 2k)及びSB(i, 2k + 1), i = 1, 2,…7, k = 0, 1,…499の各グループは、
【数２２】
2008508814.tif 000055
【０２４９】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示した図である。
【０２５０】
５．２．１．２．９．２．７  インターレースへのスロットのマッピング
ワイドエリアＯＩＳチャネルＯＦＤＭシンボルに関するインターレースへのスロットのマッピングは、５．２．１．２．１０に示されるとおりである。
【０２５１】
５．２．１．２．９．２．８  インターレース副搬送波へのスロットバッファ変調シンボルのマッピング
各割り当てられたスロット内の５００の変調シンボルは、以下の手順に従って５００のインターレース副搬送波に対して順次で割り当てられる。すなわち、
ａ．空の副搬送波インデックスベクトル（ＳＣＩＶ）を生成する。
【０２５２】
ｂ．ｉを範囲（
【数２３】
2008508814.tif 000056
【０２５３】
）内のインデックス変数とする。ｉを０に初期設定する。
【０２５４】
ｃ．ｉを９ビット値ibで表す。
【０２５５】
ｄ．ibをビット反転させ、その結果得られた値をibrで表す。ibr <500である場合は、ibrをＳＣＩＶに添付する。
【０２５６】
ｅ．i<511である場合は、iを１だけ増やしてステップｃに進む。
【０２５７】
ｆ．データスロット内のインデックスj
【数２４】
2008508814.tif 000057
【０２５８】
を有するシンボルを、そのデータスロットに割り当てられたインデックスSCIV38[j]を有するインターレース副搬送波にマッピングする。
【０２５９】
５．２．１．２．９．２．９  ＯＦＤＭ共通動作
変調されたワイドエリアＯＩＳチャネル副搬送波は、５．２．１．２．１１に示される共通動作を経る。
【０２６０】
５．２．１．２．９．３  ローカルエリアＯＩＳチャネル
このチャネルは、現在のスーパーフレーム内のローカルエリアデータチャネルと関連づけられたアクティブＭＬＣに関するオーバーヘッド情報、例えば、スケジューリングされた送信時間及びスロット割当てを伝達するために用いられる。ローカルエリアＯＩＳチャネルは、各スーパーフレーム内の５つのＯＦＤＭシンボル間隔にわたる（図５．２．１．２．２．３−２を参照）。
【０２６１】
ローカルエリアＯＩＳチャネルに関する物理層パケットは、図５．２．１．２．９．２−１に示されるステップに従って処理される。
【０２６２】
５．２．１．２．９．３．１  符号化
ローカルエリアＯＩＳチャネル物理層パケットは、符号化率Ｒ＝１／５で符号化される。符号化手順は、５．２．１．２．９．２．１に示されるワイドエリアＯＩＳチャネル物理層パケットに関する符号化手順と同一である。
【０２６３】
５．２．１．２．９．３．２  ビットインターリーブ
ローカルエリアＯＩＳチャネルターボ符号化パケットは、５．２．１．２．９．２．２に示されるようにビットインターリーブされる。
【０２６４】
脚注
３８  ＳＣＩＶは１回だけ計算する必要があり、全データスロットに関して用いることが可能である。
【０２６５】
５．２．１．２．９．３．３  データスロット割当て
ローカルエリアＯＩＳチャネルに関して、ターボ符号化パケットの送信のためにＯＦＤＭシンボルごとに７つのデータスロットが割り当てられる。ローカルエリアＯＩＳチャネルは、送信モード５を使用する。従って、ローカルエリアＯＩＳチャネルは、単一のターボ符号化パケットの内容を収容するための５つのデータスロットを要求する。いくつかのローカルエリアＯＩＳターボパケットは、２つの連続するＯＦＤＭシンボルにわたることができる。データスロット割当ては、ＭＡＣ層において行われる（４．８参照）。
【０２６６】
５．２．１．２．９．３．４  データスロットバッファを満たす
ローカルエリアＯＩＳチャネルターボ符号化パケットのビットインターリーブされた符号ビットは、図５．２．１．２．９．３．４−１において示されるように、いずれか１つの又は２つの連続するＯＦＤＭシンボルにおける５つの連続するデータスロットバッファ内に順次で書き込まれる。これらのデータスロットバッファは、スロットインデックス１乃至７に対応する。データスロットバッファサイズは、１０００ビットである。７つのローカルエリアＯＩＳチャネルターボ符号化パケット（ＴＥＰ）は、ローカルエリアＯＩＳチャネル内の５つの連続するシンボルにわたる連続するスロットを占有する（図５．２．１．２．９．３．４−１参照）。
[１９図]
2008508814.tif 000058
５．２．１．２．９．３．５  スロットスクランブリング
各割り当てられたスロットバッファのビットは、５．２．１．２．９．１．２．３に示されるようにスクランブリングされる。スクランブリングされたスロットバッファはＳＢで表される。
【０２６７】
５．２．１．２．９．３．６  変調シンボルへのビットのマッピング
ｉ番目のスクランブリングされたスロットバッファからの、s0及びs1のラベルがそれぞれ付された２つの連続ビットSB(i, 2k)及びSB(i, 2k + 1), i = 1,2,…7, k = 0,1,…499の各グループは、
【数２５】
2008508814.tif 000059
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０２６８】
５．２．１．２．９．３．７  インターレースへのスロットのマッピング
ローカルエリアＯＩＳチャネルＯＦＤＭシンボルに関するインターレースへのスロットのマッピングは、５．２．１．２．１０に示されるとおりである。
【０２６９】
５．２．１．２．９．３．８  インターレース副搬送波へのスロットバッファ変調シンボルのマッピング
この手順は、５．２．１．２．９．２．８に示されるワイドエリアＯＩＳチャネルに関する手順と同一である。
【０２７０】
５．２．１．２．９．３．９  ＯＦＤＭ共通動作
変調されたローカルエリアＯＩＳチャネル副搬送波は、５．２．１．２．１１に示される共通動作を経る。
【０２７１】
５．２．１．２．９．４  ワイドエリアＦＤＭパイロットチャネル
ワイドエリアＦＤＭパイロットチャネルは、ワイドエリアデータチャネル又はワイドエリアＯＩＳチャネルと関連させて送信される。ワイドエリアＦＤＭパイロットチャネルは、ワイドエリアチャネル推定及びその他の機能に関してＦＬＯデバイスによって用いることができる固定ビットパターンを搬送する。
【０２７２】
ワイドエリアＦＤＭパイロットチャネルに関して、ワイドエリアデータチャネル又はワイドエリアＯＩＳチャネルのいずれかを搬送するすべてのＯＦＤＭシンボル中に単一のスロットが割り当てられる。
【０２７３】
割り当てられたスロットは、１０００ビットの固定パターンを入力として使用する。これらのビットは、ゼロに設定される。これらのビットは、図５．２．１．２．９．１．２−１に示されるステップに従って処理される。
【０２７４】
５．２．１．２．９．４．１  スロット割り当て
ワイドエリアＦＤＭパイロットチャネルは、ワイドエリアデータチャネル又はワイドエリアＯＩＳチャネルのいずれかを搬送するすべてのＯＦＤＭシンボル中にインデックス０を有するスロットが割り当てられる。
【０２７５】
５．２．１．２．９．４．２  スロットバッファを満たす
ワイドエリアＦＤＭパイロットチャネルに割り当てられたスロットに関するバッファは、１０００ビットから成る固定パターンが完全に満たされ、各ビットが‘０’に設定される。
【０２７６】
５．２．１．２．９．４．３  スロットスクランブリング
ワイドエリアＦＤＭパイロットチャネルスロットバッファのビットが、５．２．１．２．９．１．２．３に示されるようにスクランブリングされる。スクランブリングされたスロットは、ＳＢによって表される。
【０２７７】
５．２．１．２．９．４．４  変調シンボルマッピング
ｉ番目のスクランブリングされたスロットバッファからの、s0及びs1のラベルがそれぞれ付された２つの連続ビットSB(i, 2k)及びSB(i, 2k + 1), i = 0, k = 0, 1,…499の各グループは、
【数２６】
2008508814.tif 000060
【０２７８】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示した図である。
【０２７９】
５．２．１．２．９．１．４．５  インターレースへのスロットのマッピング
インターレースへのワイドエリアＦＤＭパイロットチャネルスロットのマッピングは、５．２．１．２．１０に示されるとおりである。
【０２８０】
５．２．１．２．９．４．６  インターレース副搬送波へのスロットバッファ変調シンボルのマッピング
割り当てられたスロット内の５００の変調シンボルは、５００のインターレース副搬送波に対して次のように順次で割り当てられる。すなわち、ｉ番目の複素変調シンボル（ここで、
【数２７】
2008508814.tif 000061
【０２８１】
）がそのインターレースのｉ番目の副搬送波にマッピングされる。
【０２８２】
５．２．１．２．９．４．７  ＯＦＤＭ共通動作
変調されたワイドエリアＦＤＭパロチャネル副搬送波は、５．２．１．２．１１に示される共通動作を経る
５．２．１．２．９．５  ローカルエリアＦＤＭパイロットチャネル
ローカルエリアＦＤＭパイロットチャネルは、ローカルエリアデータチャネル又はローカルエリアＯＩＳチャネルと関連させて送信される。ローカルエリアＦＤＭパイロットチャネルは、ローカルエリアチャネル推定及びその他の機能に関してＦＬＯデバイスによって用いることができる固定ビットパターンを搬送する。
【０２８３】
ローカルエリアＦＤＭパイロットチャネルに関して、ローカルエリアデータチャネル又はローカルエリアＯＩＳチャネルのいずれかを搬送するすべてのＯＦＤＭシンボル中に単一のスロットが割り当てられる。
【０２８４】
割り当てられたスロットは、１０００ビットの固定パターンを入力として使用する。これらのビットは、ゼロに設定される。これらのビットは、図５．２．１．２．９．１．２−１に示されるステップに従って処理される。
【０２８５】
５．２．１．２．９．５．１  スロット割り当て
ローカルエリアＦＤＭパイロットチャネルは、ローカルエリアデータチャネル又はローカルエリアＯＩＳチャネルのいずれかを搬送するすべてのＯＦＤＭシンボル中にインデックス０を有するスロットが割り当てられる。
【０２８６】
５．２．１．２．９．５．２  スロットバッファを満たす
ローカルエリアＦＤＭパイロットチャネルに割り当てられたスロットに関するバッファは、１０００ビットから成る固定パターンが完全に満たされ、各ビットが‘０’に設定される。
【０２８７】
５．２．１．２．９．５．３  スロットバッファスクランブリング
ローカルエリアＦＤＭパイロットスロットバッファのビットが、５．２．１．２．９．１．２．３に示されるようにスクランブリングされる。スクランブリングされたスロットバッファは、ＳＢによって表される。
【０２８８】
５．２．１．２．９．５．４  変調シンボルマッピング
ｉ番目のスクランブリングされたスロットバッファの、s0及びs1のラベルがそれぞれ付された２つの連続ビットSB(i, 2k)及びSB(i, 2k + 1), i = 0, k = 0, 1,…499の各グループは、
【数２８】
2008508814.tif 000062
【０２８９】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示した図である。
【０２９０】
５．２．１．２．９．５．５  インターレースへのスロットのマッピング
インターレースへのワイドエリアＦＤＭパイロットチャネルスロットのマッピングは、５．２．１．２．１０に示されるとおりである。
【０２９１】
５．２．１．２．９．５．６  インターレース副搬送波へのスロットバッファ変調シンボルのマッピング
割り当てられたスロット内の５００の変調シンボルは、５００のインターレース副搬送波に対して次のように順次で割り当てられる。すなわち、ｉ番目の複素変調シンボル（ここで、
【数２９】
2008508814.tif 000063
【０２９２】
）がそのインターレースのｉ番目の副搬送波にマッピングされる。
【０２９３】
５．２．１．２．９．５．７  ＯＦＤＭ共通動作
変調されたローカルエリアＦＤＭパイロットチャネル副搬送波は、５．２．１．２．１１に示される共通動作を経る
５．２．１．２．９．６  ワイドエリアデータチャネル
ワイドエリアデータチャネルは、ワイドエリアマルチキャスト用の物理層パケットを搬送するために用いられる。ワイドエリアデータチャネルに関する物理層パケットは、ワイドエリア内において送信されるアクティブなＭＬＣのうちのいずれか１つと関連させることができる。
【０２９４】
５．２．１．２．９．６．１  割り当てられたスロットに関するワイドエリアデータチャネル処理
ワイドエリアデータチャネルに関する物理層パケットは、図５．２．１．２．９．６．１−１に示されるステップに従って処理される。
【０２９５】
正規の変調（ＱＰＳＫ及び１６ＱＡＭ）に関して、物理層パケットは、データスロットバッファ内に格納される前にターボ符号化及びビットインターリーブされる。階層化変調に関して、基本コンポーネント物理層パケット及びエンハンスメントコンポーネント物理層パケットは、データスロットバッファ内に多重化される前に独立してターボ符号化及びビットインターリーブされる。
[２０図]
2008508814.tif 000064
５．２．１．２．９．６．１．１  符号化
ワイドエリアデータチャネル物理層パケットは、符号化率Ｒ＝１／２、１／３、又は２／３で符号化される。符号器は、入ってきた物理層パケットの６ビットＴＡＩＬフィールドを捨て、５．２．１．２．９．２．１．１に示されるように並列ターボ符号器を用いて残りのビットを符号化する。ターボ符号器は、内部で生成された６／Ｒ（＝１２、１８又は９）出力符号ビットのテールを追加し、このため、出力時におけるターボ符号化ビット総数は、入力された物理層パケット内のビット数の１／Ｒ倍である。
【０２９６】
図５．２．１．２．９．６．１．１−１は、ワイドエリアデータチャネルに関する符号化方式を示す。ワイドエリアデータチャネル符号器パラメータは、表５．２．１．２．９．６．１．１−１に示されるとおりである。
[２１図]
2008508814.tif 000065
【表１４】
2008508814.tif 000066
【０２９７】
５．２．１．２．９．６．１．１．１  ターボ符号器
ワイドエリアデータチャネル物理層パケットに関して用いられるターボ符号器は、５．２．１．２．９．２．１．１に示されるとおりである。
【０２９８】
符号化されたデータ出力ビットは、表５．２．１．２．９．６．１．１．１−１に示されるように、スイッチがアップ位置の状態で構成符号器をNturbo回クロックし、出力をパンクチャリングすることによって生成される。パンクチャリングパターン内において、‘０’はビットが削除されることを意味し、‘１’はビットが渡されることを意味する。各ビット期間に関する構成符号器出力は、X、Y0、Y1、X'、Y'0、Y'1のシーケンスで渡され、Ｘが最初に出力される。符号化されたデータ出力シンボルの生成の際にはビット反復は用いられない。
【０２９９】
テール期間に関する構成符号器出力シンボルパンクチャリングは、表５．２．１．２．９．６．１．１．１−２に示されるとおりである。パンクチャリングパターン内において、‘０’はシンボルが削除されることを意味し、‘１’はシンボルが渡されることを意味する。
【０３００】
符号化率１／２ターボ符号に関して、最初の３つのテールビット期間の各々に関するテール出力符号ビットは、XY0であり、最後の３つのテールビット期間の各々に関するテール出力符号ビットは、X'Y'0である。
【０３０１】
符号化率１／３ターボ符号に関して、最初の３つのテールビット期間の各々に関するテール出力符号ビットは、XXY0であり、最後の３つのテールビット期間の各々に関するテール出力符号ビットは、X'X'Y'0である。
【０３０２】
符号化率２／３ターボ符号に関して、最初の３つのテールビット期間の各々に関するテール出力符号ビットは、XY0、X及びXY0である。最後の３つのテールビット期間に関するテール出力符号ビットは、それぞれX'、X' Y'0及びX'である。
【表１５】
2008508814.tif 000067
【０３０３】
注：パンクチャリング表は、上から下に進むこと。
【表１６】
2008508814.tif 000068
【０３０４】
注：符号化率１／２ターボ符号に関しては、パンクチャリング表は最初は上から下に進み、次に左から右に進むこと。符号化率１／３ターボ符号に関しては、パンクチャリング表は上から下に進み、Ｘ及びＸ’を反復し、次に左から右に進むこと。符号化率２／３ターボ符号に関しては、パンクチャリング表は最初は上から下に進み、次に左から右に進むこと。
【０３０５】
５．２．１．２．９．６．１．１．２  ターボインターリーバー
ワイドエリアデータチャネルに関するターボインターリーバーは、５．２．１．２．９．２．１．２に示されるとおりである。
【０３０６】
５．２．１．２．９．６．１．２  ビットインターリーブ
ワイドエリアデータチャネルターボ符号化パケットは、５．２．１．２．９．２．２に示されるようにビットインターリーブされる。
【０３０７】
５．２．１．２．９．６．１．３  データスロット割当て
ワイドエリアデータチャネルに関して、１つ以上のＭＬＣと関連する複数のターボ符号化パケットの送信のためにＯＦＤＭシンボルごとに最大で７つのデータスロットが割り当てられる。一定のモード（２、４，８及び１１、表５．２．１．２．８−１参照）に関しては、ターボ符号化パケットは、スロットの一部分を占有する。しかしながら、スロットは、複数のＭＬＣが同じＯＦＤＭシンボル内のスロットを共有するのを回避する形でＭＬＣに割り当てられる。
【０３０８】
５．２．１．２．９．６．１．４  データスロットバッファを満たす
ワイドエリアデータチャネルターボ符号化パケットのビットインターリーブされた符号ビットは、１つ以上のデータスロットバッファ内に書き込まれる  これらのデータスロットバッファは、スロットインデックス１乃至７に対応する。
【０３０９】
データスロットバッファサイズは、ＱＰＳＫに関しては１０００ビット、１６ＱＡＭ及び階層化変調に関しては２０００ビットである。
【０３１０】
ＱＰＳＫ及び１６ＱＡＭ変調に関して、ビットインターリーブされた符号ビットは、スロットバッファ内に順次で書き込まれる。
【０３１１】
階層化変調に関して、基本コンポーネント及びエンハンスメントコンポーネントに対応するビットインターリーブされた符号ビットは、スロットバッファを満たす前に図５．２．１．２．９．６．１．４−１に示されるようにインターリーブされる。
[２２図]
2008508814.tif 000069
図５．２．１．２．９．６．１．４−２は、単一のターボ符号化パケットが３つのデータスロットバックアップにわたる事例を示す。
[２３図]
2008508814.tif 000070
図５．２．１．２．９．６．１．４−３は、符号化率１／３を有する基本コンポーネントターボ符号化パケットが３つのデータスロットバッファを占有するために（同じ符号化率を有する）エンハンスメントコンポーネントターボパケットと多重化される事例を示す。
[２４図]
2008508814.tif 000071
図５．２．１．２．９．６．１．４−４は、データチャネルターボ符号化パケットがデータスロットの一部を占有し、さらに整数の数のデータスロットを満たすために４つのターボ符号化パケットが要求される事例を示す。
[２５図]
2008508814.tif 000072
図内の３つのスロットは、１つのＯＦＤＭシンボル又は複数の連続するＯＦＤＭシンボルにわたることができる。いずれの場合においても、ＭＬＣに関するＯＦＤＭシンボルにおけるデータスロット割当ては、連続するスロットインデックスを有する。
【０３１２】
図５．２．１．２．９．６．１．４−５は、フレーム内の３つの連続するＯＦＤＭシンボルにおける５つの異なるＭＬＣへのスロット割当てを示した概略図である。該図内において、TEP n,mは、ｍ番目のＭＬＣに関するｎ番目のターボ符号化パケットを表す。該図内において、
・ＭＬＣ１は送信モード０を使用し、さらに各ターボ符号化パケットに関して３つのスロットを要求する。ＭＬＣ１は、１つのターボ符号化パケットを送信するために３つの連続するＯＦＤＭシンボルを使用する。
【０３１３】
・ＭＬＣ２は送信モード１を使用し、さらに単一のターボ符号化パケットを送信するために２つのスロットを利用する。ＭＬＣ２は、２つのターボ符号化パケットを送信するためにＯＦＤＭシンボルｎ及びｎ＋１を使用する。
【０３１４】
・ＭＬＣ３は送信モード２を使用し、さらに１つのターボ符号化パケットを送信するために１．５スロットを要求する。ＭＬＣ３は、６つのターボ符号化パケットを送信するために３つの連続するＯＦＤＭシンボルを使用する。
【０３１５】
・ＭＬＣ４は送信モード１を使用し、さらに単一のターボ符号化パケットを送信するために２つのスロットを要求する。ＭＬＣ４は、２つのターボ符号化パケットを送信するために２つの連続するＯＦＤＭシンボルを使用する。
【０３１６】
・ＭＬＣ５は送信モード３を使用し、さらにターボ符号化パケットを送信するために１つのスロットを要求する。ＭＬＣ５は、ターボ符号化パケットを送信するために１つのＯＦＤＭシンボルを使用する。
[２６図]
2008508814.tif 000073
５．２．１．２．９．６．１．５  スロットスクランブリング
各割り当てられたスロットバッファのビットは、５．２．１．２．９．１．２．３に示されるようにスクランブリングされる。スクランブリングされたスロットバッファは、ＳＢで表される。
【０３１７】
５．２．１．２．９．６．１．６  変調シンボルへのビットのマッピング
ワイドエリアデータチャネルに関して、送信モードに依存してＱＰＳＫ、１６ＱＡＭ又は階層化変調を用いることができる。
【０３１８】
５．２．１．２．９．６．１．６．１  ＱＰＳＫ変調
i番目のスクランブリングされたスロットデータバッファからの、s0及びs1のラベルがそれぞれ付された２つの連続ビットSB(i, 2k)及びSB(i, 2k + 1), i = 1,2…7, k = 0, 1,…499の各グループは、
【数３０】
2008508814.tif 000074
【０３１９】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０３２０】
５．２．１．２．９．６．１．６．２  １６ＱＡＭ変調
i番目のスクランブリングされたデータスロットバッファからの４つの連続ビットSB(i, 4k)、SB(i, 4k+1)、SB(i, 4k+2)及びSB(i, 4k+3)、i = 1,2,…7, k = 0, 1,…499の各グループは、
【数３１】
2008508814.tif 000075
【０３２１】
を用いて表５．２．１．２．９．６．１．６．２−１に示されるように分類されて１６ＱＡＭ複素変調シンボル S(k) = (mI(k), mQ(k))、k = 0, 1,…499にマッピングされる。図５．２．１．２．９．６．１．６．２−１は、１６ＱＡＭ変調器の信号コンスタレーションを示し、ここで、s0 = SB(i, 4k)、s1 = SB(i, 4k+1)、s2 = SB(i, 4k+2)、s3 = SB(i, 4k+3)である。
【表１７】
2008508814.tif 000076
[２７図]
2008508814.tif 000077
５．２．１．２．９．６．１．６．３  基本及びエンハンスメントコンポーネントによる階層化変調
i番目のスクランブリングされたデータスロットバッファからの４つの連続ビットSB(i, 4k)、SB(i, 4k+1)、SB(i, 4k+2)及びSB(i, 4k+3)、i = 1,2,…7, k = 0, 1,…499の各グループは、表５．２．１．２．９．６．１．６．３−１に示されるように分類されて階層化変調複素シンボル S(k) = (mI(k), mQ(k))、k = 0, 1,…499にマッピングされる。ｒが基本コンポーネントとエンハンスメントコンポーネントとの間のエネルギー比を表す場合は、α及びβは次式によって与えられる。
【数３２】
2008508814.tif 000078
【０３２２】
（表５．２．１．２．６−１を参照）
図５．２．１．２．９．６．１．６．３−１は、階層化変調に関する信号コンスタレーションを示し、ここで、s0=SB(i, 4k)、s1=SB(i, 4k+1)、s2=SB(i, 4k+2)、及びs3=SB(i, 4k+3)である。スロットバッファを満たす手順（図５．２．１．２．９．６．１．４−１参照）は、ビットs0及びs2がエンハンスメントコンポーネントに対応し、ビットs1及びs3が基本コンポーネントに対応するのを保証することに注目すべきである。
【表１８】
2008508814.tif 000079
【０３２３】
注：
【数３３】
2008508814.tif 000080
【０３２４】
ここで、ｒは、基本コンポーネントエネルギーとエンハンスメントコンポーネントエネルギーの比である。
[２８図]
2008508814.tif 000081
５．２．１．２．９．６．１．６．４  基本コンポーネントのみによる階層化変調
ｉ番目のスクランブリングされたスロットバッファからの４つの連続ビットの各グループからの、s0及びs1のラベルがそれぞれ付された２及び第４のビットSB(i, 4k+1)及びSB(I, 4k+3), i = 1,2,…7, k = 0,1,…499 は、これらの第２及び第４のビットは、
【数３４】
2008508814.tif 000082
【０３２５】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０３２６】
５．２．１．２．９．６．１．７  インターレースへのスロットのマッピング
ワイドエリアデータチャネルＯＦＤＭシンボルに関するインターレースへのスロットのマッピングは、５．２．１．２．１０に示されるとおりである。
【０３２７】
５．２．１．２．９．６．１．８  インターレース副搬送波へのスロットバッファ変調シンボルのマッピング
各割り当てられたスロット内の５００の変調シンボルは、５．２．１．２．９．２．８に示される手順を用いて５００のインターレース副搬送波に順次割り当てられる。
【０３２８】
５．２．１．２．９．６．１．９  ＯＦＤＭ共通動作 
変調されたワイドエリアデータチャネル副搬送波は、５．２．１．２．１１に示される共通動作を経る。
【０３２９】
５．２．１．２．９．６．２  割り当てられていないスロットに関するワイドエリアデータチャネル処理
ワイドエリアデータチャネル内の割り当てられていないスロットは、１０００ビット固定パターンを入力として使用し、各ビットがゼロに設定される。これらのビットは、図５．２．１．２．９．１．２−１に示されるステップに従って処理される。
【０３３０】
５．２．１．２．９．６．２．１  スロットバッファを満たす
ワイドエリアデータチャネルの各割り当てられていないスロットに関するバッファは、１０００ビットから成る固定パターンで完全満たされ、各ビットが‘０’に設定される。
【０３３１】
５．２．１．２．９．６．２．２  スロットスクランブリング
ワイドエリアデータチャネル内の各割り当てられていないスロットバッファのビットは、５．２．１．２．９．１．２．３に示されるようにスクランブリングされる。スクランブリングされたスロットバッファは、SBによって表される。
【０３３２】
５．２．１．２．９．６．２．３  変調シンボルマッピング
ｉ番目のスクランブリングされたスロットバッファからの、s0及びs1のラベルがそれぞれ付された２つの連続ビットSB(i, 2k)及びSB(i, 2k + 1), i = 1,2,…7, k = 0, 1,…499の各グループは、
【数３５】
2008508814.tif 000083
【０３３３】
を用いて表５．２．１．２．９．１．１．３−１に示されるように複素変調シンボル MS = (mI, mQ)内にマッピングされる。図５．２．１．２．９．１．１．３−１は、ＱＰＳＫ変調に関する信号コンスタレーションを示す。
【０３３４】
５．２．１．２．９．６．２．４  インターレースへのスロットのマッピング
ワイドエリアデータチャネルＯＦＤＭシンボル内の割り当てられていないスロットに関するインターレースへのスロットのマッピングは、５．２．１．２．１０に示されるとおりである。
【０３３５】
５．２．１．２．９．６．２．５  インターレース副搬送波へのスロットバッファ変調シンボルのマッピング
スロットバッファ内の５００の変調シンボルは、５００のインターレース副搬送波に対して次のように順次で割り当てられる。すなわち、ｉ番目の複素変調シンボル（ここで、
【数３６】
2008508814.tif 000084
）が、そのインターレースのｉ番目の副搬送波にマッピングされる。
【０３３６】
５．２．１．２．９．６．２．６  ＯＦＤＭ共通動作
この変調されたワイドエリアデータチャネルＯＦＤＭシンボル副搬送波は、５．２．１．２．１１に示される共通動作を経る。
【０３３７】
５．２．１．２．９．７  ローカルエリアチャネル
ローカルエリアデータチャネルは、ローカルエリアマルチキャスト用の物理層パケットを搬送するために用いられる。ローカルエリアデータチャネルに関する物理層パケットは、ローカルエリア内において送信されるアクティブなＭＬＣのうちのいずれか１つと関連させることが可能である。
【０３３８】
５．２．１．２．９．７．１  割り当てられたスロットに関するローカルエリアデータチャネル処理
ローカルエリアデータチャネルに関する物理層パケットは、図５．２．１．２．９．６．１−１に示されるステップに従って処理される。
【０３３９】
正規の変調（ＱＰＳＫ及び１６ＱＡＭ）に関して、物理層パケットは、データスロットバッファ内に格納される前にターボ符号化及びビットインターリーブされる。階層化変調に関して、基本コンポーネント物理層パケット及びエンハンスメントコンポーネント物理層パケットは、データスロットバッファ内に多重化される前に独立してターボ符号化及びビットインターリーブされる。
【０３４０】
５．２．１．２．９．７．１．１  符号化
ローカルエリアデータチャネル物理層パケットは、符号化率Ｒ＝１／３、１／２、又は２／３で符号化される。符号化手順は、５．２．１．２．９．６．１．１に示されるワイドエリアデータチャネルに関する符号化手順と同一である。
【０３４１】
５．２．１．２．９．７．１．２  ビットインターリーブ
ローカルエリアデータチャネルターボ符号化パケットは、５．２．１．２．９．２．２に示されるようにビットインターリーブされる。
【０３４２】
５．２．１．２．９．７．１．３  データスロット割当て
ローカルエリアデータチャネルに関して、スロット割当ては、５．２．１．２．９．６．１．３に示されるとおりである。
【０３４３】
５．２．１．２．９．７．１．４  データスロットバッファを満たす
ローカルエリアデータチャネルに関するスロットバッファを満たす手順は、５．２．１．２．９．６．１．４に示されるとおりである。
【０３４４】
５．２．１．２．９．７．１．５  スロットスクランブリング
各割り当てられたスロットバッファのビットは、５．２．１．２．９．１．２．３に示されるようにスクランブリングされる。スクランブリングされたスロットバッファは、SBによって表される。
【０３４５】
５．２．１．２．９．７．１．６  変調シンボルへのスロットビットのマッピング
ローカルエリアデータチャネルに関して、送信モードＱＰＳＫに依存して１６ＱＡＭ又は階層化変調を用いることができる。
【０３４６】
５．２．１．２．９．７．１．６．１  ＱＰＳＫ変調
スクランブリングされたスロットバッファからの２つの連続ビットの各グループは、５．２．１．２．９．６．１．６．１に示されるようにＱＰＳＫ変調シンボル内にマッピングされる。
【０３４７】
５．２．１．２．９．７．１．６．２  １６ＱＡＭ変調
スクランブリングされたスロットバッファからの４つの連続ビットの各グループは、５．２．１．２．９．６．１．６．２に示されるように１６ＱＡＭ変調シンボル内にマッピングされる。
【０３４８】
５．２．１．２．９．７．１．６．３  基本及びエンハンスメントコンポーネントによる階層化変調
スクランブリングされたスロットバッファからの４つの連続ビットの各グループは、５．２．１．２．９．６．１．６．３に示されるように階層化変調シンボル内にマッピングされる。
【０３４９】
５．２．１．２．９．７．１．６．４  基本コンポーネントのみによる階層化変調
スクランブリングされたスロットバッファからの４つの連続ビットの各グループからの第２及び第４のビットは、５．２．１．２．９．６．１．６．４に示されるようにＱＰＳＫ変調シンボル内にマッピングされる。
【０３５０】
５．２．１．２．９．７．１．７  インターレースへのスロットのマッピング
ローカルエリアデータチャネルＯＦＤＭシンボルに関するインターレースへのスロットのマッピングは、５．２．１．２．１０に示されるとおりである。
【０３５１】
５．２．１．２．９．７．１．８  インターレース副搬送波へのスロット変調シンボルのマッピング
各割り当てられたスロット内の５００の変調シンボルは、５．２．１．２．９．２．８に示される手順を用いて５００のインターレース副搬送波に対して順次で割り当てられる。
【０３５２】
５．２．１．２．９．７．１．９  ＯＦＤＭ共通動作
変調されたワイドエリアデータチャネル副搬送波は、５．２．１．２．１１に示される共通動作を経る。
【０３５３】
５．２．１．２．９．７．２  割り当てられていないスロットに関するローカルエリアデータチャネル処理
ローカルエリアデータチャネル内の割り当てられていないスロットは、１０００ビットの固定パターンを入力として使用し、各ビットがゼロに設定される。これらのビットは、図５．２．１．２．９．１．２−１に示されるステップに従って処理される。
【０３５４】
５．２．１．２．９．７．２．１  スロットバッファを満たす
ローカルエリアデータチャネルの各割り当てられていないスロットに関するバッファは、１０００ビットから成る固定パターンで完全に満たされ、各ビットが‘０’に設定される。
【０３５５】
５．２．１．２．９．７．２．２  スロットスクランブリング
ワイドエリアデータチャネル内の各割り当てられていないスロットバッファのビットは、５．２．１．２．９．１．２．３に示されるようにスクランブリングされる。スクランブリングされたスロットバッファは、SBによって表される。
【０３５６】
５．２．１．２．９．７．２．３  変調シンボルマッピング
スクランブリングされたスロットバッファからの２つの連続ビットの各グループは、５．２．１．２．９．６．２．３に示されるようにＱＰＳＫ変調シンボル内にマッピングされる。
【０３５７】
５．２．１．２．９．７．２．４  インターレースへのスロットのマッピング
ローカルエリアデータチャネルＯＦＤＭシンボル内の割り当てられていないスロットに関するインターレースへのスロットのマッピングは、５．２．１．２．１０に示されるとおりである。
【０３５８】
５．２．１．２．９．７．２．５  インターレース副搬送波へのスロットバッファ変調シンボルのマッピング
スロットバッファ内の５００の変調シンボルは、５００のインターレース副搬送波に対して次のように順次で割り当てられる。すなわち、ｉ番目の複素変調シンボル（ここで、
【数３７】
2008508814.tif 000085
【０３５９】
）が、そのインターレースのｉ番目の副搬送波にマッピングされる。
【０３６０】
５．２．１．２．９．７．２．６  ＯＦＤＭ共通動作
この変調されたローカルエリアデータチャネルＯＦＤＭシンボル副搬送波は、５．２．１．２．１１に示される共通動作を経る。
【０３６１】
５．２．１．２．１０  インターレースへのスロットのマッピング
インターレースへのスロットのマッピングは、この節に示されるように１つのＯＦＤＭシンボルと次のＯＦＤＭシンボルの間で異なる。
【０３６２】
すべてのＯＦＤＭシンボルに８つのスロットが存在する。
【０３６３】
ＦＤＭパイロットチャネルは、スロット０を利用する。スロット０は、スーパーフレーム内のＯＦＤＭシンボルインデックスｊに関するインターレースIp[j]が次のように割り当てられる。
【０３６４】
・(j mod 2 = 0 )の場合は、Ip[j] = 2である。
【０３６５】
・(j mod 2 = 0 )でない場合は、Ip[j] = 6である。
【０３６６】
スロット０に関するインターレース割当て手順は、ＦＤＭパイロットチャネルは偶数及び奇数のＯＦＤＭシンボルインデックスに関してインターレース２及び６がそれぞれ割り当てられることを保証する。各ＯＦＤＭシンボル内の残りの７つのインターレースは、スロット１乃至７に割り当てられる。この割当ては、図５．２．１．２．１０−１に示されており、ここで、Ｐ及びＤは、ＦＤＭパイロットチャネル及びデータチャネルによって占有されるスロットに割り当てられたインターレースをそれぞれ表す。
[２９図]
2008508814.tif 000086
スロット１乃至７に関するインターレースへのスロットのマッピングは以下のとおりである。
【０３６７】
１．インターレースインデックスｉ
【数３８】
2008508814.tif 000087
【０３６８】
の３ビット値をｉとする。ｉのビット反転値をibrで表す。
【０３６９】
２．Ijは５．２．１．２．２．４において定義されるｊ番目のインターレースを表すとする。Ii内のインデックスｉ
【数３９】
2008508814.tif 000088
【０３７０】
をibrに代えることによってインターレースシーケンス{I0I1I2I3I4I5I6I7}を置換して置換されたシーケンスPS={I0I4I2I6I1I5I3I7}を生成する。
【０３７１】
３．ＰＳ内のインターレース３９I2とI6を結合させて短縮されたインターレースシーケンスSIS = {I0I4I2/I6I1I5I3I7}を生成する。
【０３７２】
４．スーパーフレーム内においてインデックスｊ
【数４０】
2008508814.tif 000089
【０３７３】
を有するＯＦＤＭシンボルに関して、(2×j)mod 7に等しい値だけステップ３のＳＩＳに関する右循環シフトを行い４１、置換された短縮インターレースシーケンスPSIS(j)を生成する。
【０３７４】
＿＿＿＿＿＿＿＿
３９  インターレース２及びインターレース６はパイロットに関して代替で使用されるため、残りの７つのインターレースはデータスロットへの割当てに関して使用される。
【０３７５】
５．(j mod 2 = 0)の場合は、PSIS(j)内のインターレースI6を選択する。(j mod 2 = 0)でない場合は、PSIS[j]内のインターレースI2を選択する。
【０３７６】
６．スーパーフレーム内のｊ番目のＯＦＤＭシンボルに関して、ｋ番目のデータスロット（
【数４１】
2008508814.tif 000090
【０３７７】
の場合）は、インターレースPSIS(j)[k−1]が割り当てられる。
【０３７８】
図５．２．１．２．１０−２は、１５の連続するＯＦＤＭシンボル間隔にわたる８つの全スロットに対するインターレース割当てを示す。スロットからインターレースへのマッピングパターンは、１４の連続するＯＦＤＭシンボル間隔後に繰り返す４２。
[３０図]
2008508814.tif 000091
５．２．１．２．１１  ＯＦＤＭ共通動作
このブロックは、ＯＦＤＭシンボル間隔ｍに関する副搬送波インデックスｋと関連する複素変調シンボルXk,mをＲＦ送信信号に変換する。これらの動作は、図５．２．１．２．１１−１に示されている。
【０３７９】
＿＿＿＿＿＿
４０  スーパーフレームは、１２００のＯＦＤＭシンボル間隔にわたる。ＯＦＤＭシンボルインデックス０に関するインターレースへのスロットのマッピングは使用されない。
【０３８０】
４１  シーケンスs = {1 2 3 4 5}を2だけ右循環シフトすることは、シーケンスs(2) = {4 5 1 2 3}を生み出す。
【０３８１】
４２  この数字は、すべてのインターレースがパイロットインターレースの隣においてほぼ同じ割合の時間が割り当てられ、全インターレースに関するチャネル推定性能はほぼ同じであることを示す。
[３１図]
2008508814.tif 000092
５．２．１．２．１１．１  ＩＦＴ動作
m番目のＯＦＤＭシンボルと関連する複素変調シンボルXk,m, k = 0,1,…,4095は、逆フーリエ変換（ＩＦＴ）方程式によって連続時間信号xm(t)に関連づけられる。具体的には、
【数４２】
2008508814.tif 000093
【０３８２】
上式において、(Δf)SCは、副搬送波スペース（５．２．１．２．２．２参照）であり、TWGI、TFGI及びTSは、５．２．１．２．３において定義される。
【０３８３】
５．２．１．２．１１．２  ウィンドーイング
信号xm(t)は、ウィンドー関数w(t)が乗じられ、ここで、
【数４３】
2008508814.tif 000094
【０３８４】
ウィンドーイングされた信号はym(t)によって表され、ここで、
【数４４】
2008508814.tif 000095
【０３８５】
上記において、TU及びTsは５．２．１．２．３において定義されるとおりである。
【０３８６】
５．２．１．２．１１．３  オーバーラップ及び加算
ベースバンド信号SBB(t)は、後続ＯＦＤＭシンボルからのウィンドーイングされた連続時間信号をTWGIだけオーバーラップさせることによって生成される。この生成は、図５．２．１．２．１１．３−１に示されている。具体的には、SBB(t)は次式によって与えられる。
【数４５】
2008508814.tif 000096
[３２図]
2008508814.tif 000097
５．２．１．２．１１．４  搬送波変調
同相及び直交ベースバンド信号がＲＦ周波数にアップコンバージョンされて合計され、ＲＦ波形SRF(t)が生成される。図５．２．１．２．１１−１において、fc(k)は、ｋ番目のＦＬＯ  ＲＦチャネルの中心周波数である（表５．２．１．１．１−１参照）。
【０３８７】
５．２．１．３  同期化及びタイミング
後日提供
５．２．１．３．１  タイミング基準源
後日提供
５．２．１．３．２  ＦＬＯネットワーク送信時間
後日提供
【図面の簡単な説明】
【０３８８】
【図１Ａ】実施形態によるチャネルインターリーバーを示した図である。
【図１Ｂ】他の実施形態によるチャネルインターリーバーを示した図である。
【図２Ａ】実施形態によるインターリーブバッファ内に入れられたターボパケットの符号ビットを示した図である。
【図２Ｂ】実施形態によるＮ／ｍのロー×ｍのカラムのマトリクス内に配置されたインターリーバーバッファを示した図である。
【図３】実施形態によるインターリーブされたインターレーステーブルを示した図である。
【図４】実施形態によるチャネライゼーション概略図である。
【図５】実施形態により、特定のスロットに関する長い良及び不良チャネル推定値が得られることになるすべて１のシフトシーケンスを有するチャネライゼーション概略図である。
【図６】均一に拡散された良及び不良チャネル推定インターレースが得られることになるすべて２のシフトシーケンスを有するチャネライゼーション概略図である。
【図７】実施形態によるインターリーブを実行するように構成される無線デバイスを示した図である。
【図１Ａ】
2008508814.tif 000098
【図１Ｂ】
2008508814.tif 000099
【図２Ａ】
2008508814.tif 000100
【図２Ｂ】
2008508814.tif 000101
【図３】
2008508814.tif 000102
【図４】
2008508814.tif 000103
【図５】
2008508814.tif 000104
【図６】
2008508814.tif 000105
【図７】
2008508814.tif 000106
【国際調査報告】
2008508814.tif 000107
2008508814.tif 000108
2008508814.tif 000109